(57)【要約】本発明は、ＮＦＣデータ伝送方法、端末装置、及びサーバに関する。前記方法は、予め用意されたＮＦＣタグをスキャンすることによって、少なくとも第三者プロバイダーの識別コードと取引情報とを含むタグデータを取得するステップと、前記識別コード、取引情報、及びユーザ情報に基づいてオーダーを生成するステップと、サーバに前記オーダーを送信するステップとを含み、前記オーダーは、前記サーバが、当該オーダーを解析して識別コード、取引情報、及びユーザ情報を取得し、前記取引情報とユーザ情報を前記識別コードに対応する第三者プロバイダーに送信することによってオーダー提出操作を完成させるために用いられる。【選択図】図１
2016502190.tif 000002
【特許請求の範囲】
【請求項１】
予め用意されたＮＦＣタグをスキャンすることによって、少なくとも第三者プロバイダーの識別コードと取引情報とを含むタグデータを取得するステップと、
前記識別コード、前記取引情報、及びユーザ情報に基づいてオーダーを生成するステップと、
サーバに前記オーダーを送信するステップと
を含み、
前記オーダーは、前記サーバが、当該オーダーを解析して前記識別コード、前記取引情報、及び前記ユーザ情報を取得し、前記取引情報と前記ユーザ情報を前記識別コードに対応する前記第三者プロバイダーに送信することによってオーダー提出操作を完成させるために用いられることを特徴とするＮＦＣデータ伝送方法。
【請求項２】
前記第三者プロバイダーの前記識別コード、及び前記取引情報を前記ＮＦＣタグに書き込むステップをさらに含むことを特徴とする請求項１に記載のＮＦＣデータ伝送方法。
【請求項３】
前記ユーザ情報を暗号化して前記ＮＦＣタグに書き込むステップをさらに含むことを特徴とする請求項２に記載のＮＦＣデータ伝送方法。
【請求項４】
前記暗号化されたユーザ情報を復号化して前記ユーザ情報を取得するステップをさらに含むことを特徴とする請求項３に記載のＮＦＣデータ伝送方法。
【請求項５】
ローカルから前記ユーザ情報を取得するか、或いはユーザの入力によって前記ユーザ情報を取得するステップをさらに含むことを特徴とする請求項１に記載のＮＦＣデータ伝送方法。
【請求項６】
センサーによって前記ユーザ情報を取得するステップをさらに含むことを特徴とする請求項１に記載のＮＦＣデータ伝送方法。
【請求項７】
前記サーバ、又は第三者プロバイダーがオーダーの処理状況に基づいて生成したオーダー状態情報をリアルタイムに受信するステップをさらに含むことを特徴とする請求項１に記載のＮＦＣデータ伝送方法。
【請求項８】
予め用意されたＮＦＣタグをスキャンすることによって、少なくとも第三者プロバイダーの識別コードと取引情報とを含むタグデータを取得するためのスキャンモジュールと、
前記識別コード、前記取引情報、及びユーザ情報に基づいてオーダーを生成するためのオーダー生成モジュールと、
サーバに前記オーダーを送信するための送信モジュールと
を含み、
前記オーダーは、前記サーバが、当該オーダーを解釈して前記識別コード、前記取引情報、及び前記ユーザ情報を取得し、前記取引情報と前記ユーザ情報を前記識別コードに対応する前記第三者プロバイダーに送信することによってオーダー提出操作を完成させるために用いられることを特徴とする端末装置。
【請求項９】
前記第三者プロバイダーの前記識別コード、及び取引情報を前記ＮＦＣタグに書き込むための書き込みモジュールをさらに含むことを特徴とする請求項８に記載の端末装置。
【請求項１０】
前記ユーザ情報を暗号化するための暗号化モジュールをさらに含み、
前記書き込みモジュールは、暗号化されたユーザ情報を前記ＮＦＣタグに書き込むことを特徴とする請求項９に記載の端末装置。
【請求項１１】
前記暗号化されたユーザ情報を復号化して前記ユーザ情報を取得するための復号化モジュールをさらに含むことを特徴とする請求項１０に記載の端末装置。
【請求項１２】
前記ユーザ情報を記憶するための記憶モジュールと、
前記記憶モジュールから前記ユーザ情報を取得するための取得モジュールと
をさらに含むか、
或いは、
ユーザ入力によって前記ユーザ情報を取得するための入力取得モジュールをさらに含むことを特徴とする請求項９に記載の端末装置。
【請求項１３】
前記ユーザ情報を取得するためのセンサーをさらに含むことを特徴とする請求項９に記載の端末装置。
【請求項１４】
前記サーバ、又は前記第三者プロバイダーがオーダーの処理状況に基づいて生成したオーダー状態情報をリアルタイムに受信するための受信モジュールをさらに含むことを特徴とする請求項９に記載の端末装置。
【請求項１５】
メモリ、及び一つ或は一つ以上のプログラムを含み、
前記一つ或いは一つ以上のプログラムは、
前記メモリに記憶され、一つ或いは一つ以上のプロセッサにより実行されるとともに、
予め用意されたＮＦＣタグをスキャンすることによって、少なくとも第三者プロバイダーの識別コードと取引情報とを含むタグデータを取得するための指令と、
前記識別コード、前記取引情報、及びユーザ情報に基づいてオーダーを生成するための指令と、
サーバに前記オーダーを送信するための指令と
を含み、
前記オーダーは、前記サーバが、前記オーダーを解析して前記識別コード、前記取引情報、及び前記ユーザ情報を取得し、前記取引情報と前記ユーザ情報を前記識別コードに対応する前記第三者プロバイダーに送信することによってオーダー提出操作を完成させるために用いられることを特徴とする端末装置。
【請求項１６】
端末装置から、当該端末装置が予め用意されたＮＦＣタグをスキャンすることによって取得したタグデータにより生成されたオーダーを受信するステップと、
前記オーダーを解析して、前記オーダーにおける識別コード、取引情報、及びユーザ情報を取得するステップと、
前記取引情報と前記ユーザ情報を前記識別コードに対応する第三者プロバイダーに送信することによってオーダー提出操作を完成するステップと
を含むことを特徴とするＮＦＣデータ伝送方法。
【請求項１７】
前記オーダーの処理状況に基づいてオーダー状態情報を生成し、前記オーダー状態情報を前記端末装置に送信するステップをさらに含むことを特徴とする請求項１６に記載のＮＦＣデータ伝送方法。
【請求項１８】
前記オーダーに基づいて前記第三者プロバイダーの取引データを統計するステップをさらに含むことを特徴とする請求項１６に記載のＮＦＣデータ伝送方法。
【請求項１９】
前記オーダーに基づいて前記ユーザの消費情報を統計し、前記ユーザの消費情報を前記端末装置にフィードバックするステップをさらに含むことを特徴とする請求項１６に記載のＮＦＣデータ伝送方法。
【請求項２０】
端末装置から、前記端末装置が予め用意されたＮＦＣタグをスキャンすることによって取得したタグデータにより生成されたオーダーを受信するための受信モジュールと、
前記オーダーを解析して、前記オーダーにおける識別コード、取引情報、及びユーザ情報を取得するための解析モジュールと、
前記取引情報と前記ユーザ情報を前記識別コードに対応する第三者プロバイダーに送信することによってオーダー提出操作を完成するための送信モジュールと
を含むことを特徴とするサーバ。
【請求項２１】
前記オーダーの処理状況に基づいてオーダー状態情報を生成するためのオーダー状態生成モジュールをさらに含み、
前記送信モジュールは、前記オーダー状態情報を前記端末装置に送信することを特徴とする請求項２０に記載のサーバ。
【請求項２２】
前記オーダーに基づいて前記第三者プロバイダーの取引データを統計するための第１の統計モジュールをさらに含むことを特徴とする請求項２０に記載のサーバ。
【請求項２３】
前記オーダーに基づいて前記ユーザの消費情報を統計するための第２の統計モジュールをさらに含み、
前記送信モジュールは、前記ユーザの消費情報を前記端末装置にフィードバックすることを特徴とする請求項２０に記載のサーバ。
【請求項２４】
メモリ、及び一つ或は一つ以上のプログラムを含み、
前記一つ或いは一つ以上のプログラムは、
前記メモリに記憶され、一つ或いは一つ以上のプロセッサにより実行されるとともに、
端末装置から、当該端末装置が予め用意されたＮＦＣタグをスキャンすることによって取得したタグデータにより生成されたオーダーを受信するための指令と、
前記オーダーを解析して、前記オーダーにおける識別コード、取引情報、及びユーザ情報を取得するための指令と、
前記取引情報と前記ユーザ情報を前記識別コードに対応する第三者プロバイダーに送信することによってオーダー提出操作を完成させるための指令と
を含むことを特徴とするサーバ。
【発明の詳細な説明】
【技術分野】
【０００１】
本願は、出願番号がＣＮ２０１３１０５１２８８２.５であって、出願日が２０１３年１０月２５日である中国特許出願に基づき優先権を主張し、当該中国特許出願のすべての内容を本願に援用する。
【０００２】
本発明は、近距離無線通信技術分野に関し、特にＮＦＣデータ伝送方法、端末装置、及びサーバに関する。
【背景技術】
【０００３】
近接場型通信（Ｎｅａｒ Ｆｉｅｌｄ Ｃｏｍｍｕｎｉｃａｔｉｏｎ、ＮＦＣ）は、近距離無線通信とも呼ばれ、近距離の高周波数無線通信技術であり、電子設備の間で非接触式ポイントツーポイントのデータ伝送によってデータをやり取りできる。この技術は、非接触式ＲＦ識別（ＲＦＩＤ）から進化されてなるものであり、ＲＦＩＤに対して上位互換性があり、主に携帯電話などの携帯設備において、Ｍ２Ｍ(Ｍａｃｈｉｎｅ ｔｏ Ｍａｃｈｉｎｅ)の通信を提供するために用いられる。近接場型通信は、自然の安全性を持っているため、ＮＦＣ技術は携帯電話支払いなどの分野で、その実用性が期待される。
【０００４】
ＮＦＣは、ＮＦＣ識別機能を持つ２つの設備間だけではなく、ＮＦＣ設備と無動力型ＮＦＣチップ（ＮＦＣステッカー、又はＮＦＣタグ）との間でも行える。ＮＦＣを搭載したスマートフォンは、ＮＦＣタグにおけるプログラム（予めソフトウェアによって書き込む）によって自動的にターゲットを実行する。
【発明の概要】
【発明が解決しようとする課題】
【０００５】
しかしながら、これらのプログラムは、携帯電話の設定の修正、ショートメッセージの送信、アプリケーションプログラムの起動などの機能だけ許可されなく、完成する機能も端末内で行うものに限られている。
【０００６】
本発明の実施例は、ＮＦＣデータ伝送方法、端末装置、およびサーバを提供し、ユーザが移動端末を通じて第三者サービスを受ける時間が短縮され、第三者サービスを受けることを便利にするためになされたものである。
【課題を解決するための手段】
【０００７】
本発明の実施例の第１の局面によると、ＮＦＣデータ伝送方法を提供し、当該方法は、予め用意されたＮＦＣタグをスキャンすることによって、少なくとも第三者プロバイダーの識別コードと取引情報とを含むタグデータを取得するステップと、前記識別コード、取引情報、及びユーザ情報に基づいてオーダーを生成するステップと、サーバに前記オーダーを送信するステップとを含み、前記オーダーは、前記サーバが、当該オーダーを解析して識別コード、取引情報、及びユーザ情報を取得し、前記取引情報とユーザ情報を前記識別コードに対応する第三者プロバイダーに送信することによってオーダー提出操作を完成させるために用いられる。
【０００８】
本発明によると、ＮＦＣタグのタグデータに第三者プロバイダーの識別コード及び取引情報が含まれ、端末装置は、当該識別コードに基づいて第三者プロバイダーを確定し、相応するオーダーを生成してサーバに送信する。そのため、ユーザは、異なる第三者プロバイダーが提供するサービスソフトウェア、或いはウェブサイトによってオーダーを提出する必要がなく、サーバによってオーダーに対応する第三者プロバイダーを識別し、オーダーを相応する第三者プロバイダーに送信してもらう。このようにして、ユーザが移動端末によって第三者サービスを受ける時間が短縮され、第三者サービスを受けることが便利になる。また、第三者プロバイダーにとっても、自らアプリケーションを開発したりサービスウェブサイト又はカスタマーサービスシステムを搭載する必要がなく、サーバにアクセスし登録することで、すぐにユーザにサービスを提供することができるため、大量にサービスコストを節約し、サービス効率を向上させる有益な効果がある。
【０００９】
前記方法は、前記第三者プロバイダーの識別コード、及び取引情報を前記ＮＦＣタグに書き込むステップをさらに含む。
【００１０】
本発明によると、第三者プロバイダーの識別コード、及び取引情報を予めＮＦＣタグに記憶することによって、ユーザがオーダーを発注する時、毎回これらの情報を入力する必要がなく、ＮＦＣタグをスキャンするだけで、これらの情報が自動的にオーダーに合成され、ユーザが第三者サービスを受ける時間コストを大きく節約し、第三者サービスを受けることが便利になる有益な効果がある。
【００１１】
前記方法は、前記ユーザ情報を暗号化して前記ＮＦＣタグに書き込むステップをさらに含む。
【００１２】
前記方法は、前記暗号化されたユーザ情報を復号化して前記ユーザ情報を取得するステップをさらに含む。
【００１３】
本発明によると、ユーザ情報を予めＮＦＣタグに記憶することによって、ユーザがオーダーを発注する時、毎回これらの情報を入力する必要がなく、ＮＦＣタグをスキャンするだけで、これらの情報が自動的にオーダーに合成され、ユーザが第三者サービスを受ける時間コストを大きく節約し、第三者サービスが便利になる有益な効果がある。
【００１４】
前記方法は、ローカルから前記ユーザ情報を取得するか、或いはユーザの入力によって前記ユーザ情報を取得するステップをさらに含む。
【００１５】
本発明によると、ローカルにユーザ情報を記憶するか、或いはユーザがユーザ情報を入力することによって、ユーザ個人情報のセキュリティを向上させ、且つユーザが第三者サービスを受ける時間コストを節約し、第三者サービスを受けることが便利になる有益な効果がある。
【００１６】
前記方法は、センサーによって前記ユーザ情報を取得するステップをさらに含む。
本発明によると、センサーによってユーザ情報を取得することによって、ユーザ情報取得の正確性と便利性を向上させ、ユーザ入力を減少し、ユーザが第三者サービスを受ける時間コストを節約し、第三者サービスを受けることが便利になる有益な効果がある。
【００１７】
前記方法は、前記サーバ、又は第三者プロバイダーがオーダーの処理状況に基づいて生成したオーダー状態情報をリアルタイムに受信するステップをさらに含む。
【００１８】
本発明によると、端末装置は、リアルタイムにオーダー状態情報を受信することによって、ユーザがリアルタイムにオーダー処理の状況を把握でき、便利に調査できるようにし、ユーザが第三者サービスを受けることがさらに便利になる有益な効果がある。
【００１９】
本発明の実施例の第２の局面によると、端末装置を提供し、前記端末装置は、予め用意されたＮＦＣタグをスキャンすることによって、少なくとも第三者プロバイダーの識別コードと取引情報を含むタグデータを取得するためのスキャンモジュールと、前記識別コード、取引情報、及びユーザ情報に基づいてオーダーを生成するためのオーダー生成モジュールと、サーバに前記オーダーを送信するための送信モジュールを含み、前記オーダーは、前記サーバが、当該オーダーを解釈して識別コード、取引情報、及びユーザ情報を取得し、前記取引情報とユーザ情報を前記識別コードに対応する第三者プロバイダーに送信することによってオーダー提出操作を完成させるために用いられる。
【００２０】
前記端末装置は、前記第三者プロバイダーの識別コード、及び取引情報を前記ＮＦＣタグに書き込むための書き込みモジュールをさらに含む。
前記端末装置は、前記ユーザ情報を暗号化するための暗号化モジュールをさらに含み、前記書き込みモジュールは、暗号化されたユーザ情報を前記ＮＦＣタグに書き込む。
前記端末装置は、前記暗号化されたユーザ情報を復号化して前記ユーザ情報を取得するための復号化モジュールをさらに含む。
【００２１】
前記端末装置は、前記ユーザ情報を記憶するための記憶モジュールと、前記記憶モジュールから前記ユーザ情報を取得するための取得モジュールとをさらに含むか、或いは、ユーザ入力によって前記ユーザ情報を取得するための入力取得モジュールをさらに含む。
【００２２】
前記端末装置は、前記ユーザ情報を取得するためのセンサーをさらに含む。
前記端末装置は、前記サーバ、又は第三者プロバイダーがオーダーの処理状況に基づいて生成したオーダー状態情報をリアルタイムに受信するための受信モジュールをさらに含む。
【００２３】
本発明の実施例の第３の局面によると、端末装置を提供し、当該端末装置は、メモリ、及び一つ或は一つ以上のプログラムを含み、前記一つ或いは一つ以上のプログラムは、メモリに記憶され、一つ或いは一つ以上のプロセッサにより実行されるとともに、予め用意されたＮＦＣタグをスキャンすることによって、少なくとも第三者プロバイダーの識別コードと取引情報を含むタグデータを取得するための指令と、前記識別コード、取引情報、及びユーザ情報に基づいてオーダーを生成するための指令と、サーバに前記オーダーを送信するための指令とを含み、前記オーダーは、前記サーバが、当該オーダーを解析して識別コード、取引情報、及びユーザ情報を取得し、前記取引情報とユーザ情報を前記識別コードに対応する第三者プロバイダーに送信することによってオーダー提出操作を完成させるために用いられる。
【００２４】
本発明の実施例の第４の局面によると、ＮＦＣデータ伝送方法を提供し、当該方法は、端末装置から、前記端末装置が予め用意されたＮＦＣタグをスキャンすることによって取得したタグデータにより生成されたオーダーを受信するステップと、前記オーダーを解析して、前記オーダーにおける識別コード、取引情報、及びユーザ情報を取得するステップと、前記取引情報とユーザ情報を前記識別コードに対応する第三者プロバイダーに送信して、オーダー提出操作を完成するステップと
を含む。
【００２５】
本発明によると、サーバがオーダーを相応する第三者プロバイダーに送信するため、ユーザは、異なる第三者プロバイダーが提供するサービスソフトウェア、或いはＵＲＬによってオーダーを提出する必要がなく、サーバによってオーダーに対応する第三者プロバイダーを識別し、オーダーを相応する第三者プロバイダーに送信する。このようにして、ユーザが移動端末を通じて第三者サービスを受ける時間が短縮され、第三者サービスを受けることが便利になる。また、第三者プロバイダーにとっても、自分でアプリケーションを開発したり、サービスウェブサイト又はカスタマーサービスシステムを搭載する必要がなく、サーバにアクセスし登録するだけで、すぐユーザにサービスを提供でき、大量のサービスコストを節約し、サービス効率を向上させる有益な効果がある。
前記方法は、前記オーダーの処理状況に基づいてオーダー状態情報を生成し、前記オーダー状態情報を前記端末装置に送信するステップをさらに含む。
【００２６】
本発明によると、サーバがオーダー状態を端末装置にフィードバックすることによって、ユーザがリアルタイムにオーダー処理の状況を把握でき、ユーザが便利に調査できるようにし、ユーザが第三者サービスを受けることがさらに便利になる有益な効果がある。
【００２７】
前記方法は、前記オーダーに基づいて第三者プロバイダーの取引データを統計するステップをさらに含む。
【００２８】
前記方法は、前記オーダーに基づいてユーザの消費情報を統計し、前記ユーザの消費情報を端末装置にフィードバックするステップをさらに含む。
【００２９】
本発明によると、サーバは、第三者プロバイダーの取引データ、或いはユーザの消費情報を統計して、それぞれ第三者プロバイダー、或いはユーザに提供する。そのため、第三者プロバイダーにとって、自分で統計する必要がなく、正確な取引データが取得でき、大量なサービスコストを節約でき、サービス効率を向上させる。ユーザにとっては、サーバが消費情報を提供するため、ユーザが正確に自分の消費記録を把握することができ、便利に過去の消費記録を調査することができ、ユーザ体験を向上させる。
【００３０】
本発明の第５の局面によると、サーバを提供し、当該サーバは、端末装置から、前記端末装置が予め用意されたＮＦＣタグをスキャンすることによって取得したタグデータにより生成されたオーダーを受信するための受信モジュールと、前記オーダーを解析して、前記オーダーにおける識別コード、取引情報、及びユーザ情報を取得するための解析モジュールと、前記取引情報とユーザ情報を前記識別コードに対応する第三者プロバイダーに送信してオーダー提出操作を完成するための送信モジュールとを含む。
【００３１】
前記サーバは、オーダーの処理状況に基づいてオーダー状態情報を生成するためのオーダー状態生成モジュールをさらに含み、前記送信モジュールは、前記オーダー状態情報を前記端末装置に送信する。
【００３２】
前記サーバは、前記オーダーに基づいて前記第三者プロバイダーの取引データを統計するための第１の統計モジュールをさらに含む。
【００３３】
前記サーバは、前記オーダーに基づいて前記ユーザの消費情報を統計するための第２の統計モジュールをさらに含み、前記送信モジュールは、前記ユーザの消費情報を前記端末装置にフィードバックする。
【００３４】
本発明の実施例の第６の局面によると、サーバを提供し、当該サーバは、メモリ、及び一つ或は一つ以上のプログラムを含み、前記一つ或いは一つ以上のプログラムは、メモリに記憶され、一つ或いは一つ以上のプロセッサにより実行されるとともに、端末装置から、前記端末装置が予め用意されたＮＦＣタグをスキャンすることによって取得したタグデータにより生成されたオーダーを受信するための指令と、前記オーダーを解析して、前記オーダーにおける識別コード、取引情報、及びユーザ情報を取得するための指令と、前記取引情報とユーザ情報を前記識別コードに対応する第三者プロバイダーに送信してオーダー提出操作を完成させるための指令とを含む。
【００３５】
理解すべきことは、以上の統括な記述と以下の詳細記述は、ただ例示的なものであり、本発明を限定するものではない。以下に、図面と実施例を通じて、本発明の技術案に対してさらに詳しく説明する。
【図面の簡単な説明】
【００３６】
以下の図面は、明細書の一部分として明細書全体を構成することにより、本発明に合致する実施例を例示するとともに、本発明の原理を解釈するためのものである。
以下の図面は、本願の一部分として、本発明に対する更なる理解を図るためのものであって、本発明に対する限定として捉えてはいけない。
これらの図面のうち: 
【図１】図１は、一つの例示的実施例にかかる端末装置に応用されるＮＦＣデータ伝送方法の例示的なフローチャートである。
【図２】図２は、一つの例示的実施例にかかる端末装置画面におけるオーダーを模式的に示す図である。
【図３】図３は、一つの例示的実施例にかかるサーバに応用されるＮＦＣデータ伝送方法の例示的なフローチャートである。
【図４】図４は、一つの例示的実施例にかかる端末装置の例示的な構成図である。
【図５】図５は、一つの例示的実施例にかかるサーバの例示的な構成図である。
【図６】図６は、一つの例示的実施例にかかる端末装置のもう一つの例示的な構成図である。
【図７】図７は、一つの例示的実施例にかかるサーバのもう一つの例示的な構成図である。  以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００３７】
以下、本発明の目的、技術案及び利点をさらに明確にするために、図面を参照しながら本発明の実施例をさらに詳しく説明する。ここで、本発明の例示的な実施例、及びその説明は、本発明を解釈するためのものであって、本発明を限定するためのものではない、ことを理解すべきである。
【００３８】
本発明において、ＮＦＣタグのデータフォーマットを改めて定義することによって、端末装置がデータフォーマットに基いてサービス要求を識別し、サーバを経由してサービスオーダーを第三者プロバイダーに転送し、サーバでユーザのオーダーが処理でき、ユーザにサービスを提供できるようになる。
【００３９】
本発明の実施例は、ＮＦＣデータ伝送方法、端末装置、およびサーバを提供し、以下、図面と合わせて本発明に対して詳細に説明する。
【００４０】
一つの実施例において、図１に示すような、端末装置に応用されるＮＦＣデータ伝送方法を提供する。
【００４１】
ステップ１０１において、予め用意されたＮＦＣタグをスキャンすることによってタグデータを取得する。そのうち、タグデータには、少なくとも第三者プロバイダーの識別コード、及び取引情報が含まれている。
【００４２】
ステップ１０２において、識別コード、取引情報、及びユーザ情報に基づいてオーダーを生成する。
【００４３】
ステップ１０３において、サーバにオーダーを送信する。ここで、オーダーは、サーバが、当該オーダーを解析して識別コード、取引情報とユーザ情報を取得し、取引情報とユーザ情報を識別コードに対応する第三者プロバイダーに送信することによってオーダー提出操作を完成させるために用いられる。
【００４４】
本実施例において、取引情報は、ユーザが注文したサービス内容であって、例えば、マクドナルドの出前を注文するＮＦＣタグであれば、取引情報は、注文する定食のタイプであり、電話料金を支払うＮＦＣタグであれば、取引情報は、電話料金の限度額である。
【００４５】
本実施例において、ＮＦＣタグのタグデータには第三者プロバイダーの識別コード及び取引情報が含まれ、端末装置は、当該識別コードに基づいて第三者プロバイダーを確定し、相応するオーダーを生成してサーバに送信する。そのため、ユーザは、異なる第三者プロバイダーが提供するサービスソフトウェア、或いはウェブサイトを使用してオーダーを提出する必要がなく、サーバがオーダーに対応する第三者プロバイダーを識別し、オーダーを相応する第三者プロバイダーに送信する。このように、ユーザが移動端末を経由して第三者サービスを受ける時間が短縮されるので、第三者サービスを受けることが便利になる。また、第三者プロバイダーにとっても、アプリケーションを開発したりサービスウェブサイト又はカスタマーサービスシステムを作る必要がなく、サーバにアクセスし登録した後、すぐにユーザにサービスを提供できるため、サービスコストを大量に節約し、サービス効率を向上させる。
【００４６】
本実施例において、ステップ１０１前に、予め第三者プロバイダーの識別コード、及び取引情報をＮＦＣタグに書き込んでもいい。
【００４７】
本実施例において、第三者プロバイダーの識別コード及び取引情報を予めＮＦＣタグに記憶すると、ユーザがオーダーを発注する時、毎回これらの情報を入力する必要がなく、ＮＦＣタグをスキャンするだけで、これらの情報が自動的にオーダーに合成され、ユーザが第三者サービスを受ける時間コストを大幅に節約し、第三者サービスを受けることが便利になる。
【００４８】
本実施例において、ステップ１０２におけるユーザ情報は、以下の三つの方法によって取得できる。
（１）予めＮＦＣタグに記憶し、端末装置を用いてＮＦＣタグをスキャンすることによって取得する。
ＮＦＣタグに記憶されるユーザ情報は暗号化する必要があり、端末装置によって暗号化後のユーザ情報をＮＦＣタグに書き込む。
【００４９】
端末装置は、タグデータに暗号化後のユーザ情報が含まれている場合、予め用意されたＮＦＣタグをスキャンすることによってタグデータを取得した後、暗号化されたユーザ情報について復号化を行って、ユーザ情報を得る。
【００５０】
ＮＦＣタグに記憶されるユーザ情報を暗号化することによって、所定の端末装置だけがＮＦＣタグにおけるユーザ情報を読み取りできるようにし、ユーザ個人情報のセキュリティを向上させる。
【００５１】
且つ、ユーザ情報を予めＮＦＣタグに記憶することによって、ユーザがオーダーを発注する時、毎回これらの情報を入力する必要がなく、ＮＦＣタグをスキャンするだけで、これらの情報が自動的にオーダーに合成され、ユーザが第三者サービスを受ける時間コストを大きく節約し、第三者サービスを受けることが便利になる。
【００５２】
（２）ローカルでユーザ情報を取得するか、或いはユーザによりユーザ情報を入力する場合、ユーザ情報に対して暗号化する必要がない。
ローカルにユーザ情報を記憶するか、或いはユーザによりユーザ情報を入力することによって、ユーザ個人情報のセキュリティを向上させ、且つユーザが第三者サービスを受ける時間コストを節約し、第三者サービスを受けることが便利になる。
【００５３】
（３）センサーによってユーザ情報を取得する。
例えば、ユーザがタクシーをひろうとすると、直接ＧＰＳで位置を決め、その位置決め結果をユーザ情報とする。センサーを用いてユーザ情報を取得することによって、ユーザ情報取得の正確性と便利性を向上させ、ユーザ入力を減少し、ユーザが第三者サービスを受ける時間コストを節約し、第三者サービスを受けることが便利になる。
【００５４】
以下、例を挙げて本実施例の方法を説明し、ユーザは、端末装置を用いて、予め書き換え型のＮＦＣタグに以下の内容を書き込むことができる。
第三者プロバイダーの識別コード：０００００１（マクドナルド）
取引情報：定食タイプ：ビッグマックセット
ユーザ情報：
ユーザ姓名：XXX，
連絡番号：XXXXXXXXXXX，
配達住所：XXXビルX階XXX室。
【００５５】
ユーザが端末装置で当該ＮＦＣタグをタッチすると、図２に示すように、端末装置の画面に当該オーダーが現れ、ユーザが確認すると、端末装置は当該オーダーをサーバに送信し、サーバを経由して当該オーダーをマクドナルドに送信する。マクドナルドは、当該オーダーを受信すると、ユーザにファストフードを配達する。
【００５６】
上記の具体的な実例のように、ユーザの毎回注文操作は非常に簡単で、端末装置でＮＦＣタグをスキャンし、ユーザインタフェースで確認するだけで済み、予約しようとする定食のタイプ、及び注文に必要なユーザ情報を毎回入力する必要がなく、ユーザが移動端末によって第三者サービスを受ける時間が短縮され、第三者サービスを受けることが便利になる。
【００５７】
本実施例の方法においては、さらに、サーバ或いは第三者プロバイダーがオーダーの処理状況に基づいて生成したオーダー状態情報をリアルタイムに受信することができる。端末装置は、リアルタイムにオーダー状態情報を受信することによって、ユーザがリアルタイムにオーダー処理の状況を把握でき、ユーザが便利に調査できるようにし、ユーザが第三者サービスを受けることがさらに便利になる。
【００５８】
もう一つの実施例において、図３に示すような、サーバに応用されるＮＦＣデータ伝送方法を提供する。
【００５９】
ステップ３０１において、端末装置から送信されたオーダーを受信する。オーダーは、端末装置が予め用意されたＮＦＣタグをスキャンして取得したタグデータにより生成される。
【００６０】
ステップ３０２において、オーダーを解析して、オーダーにおける識別コード、取引情報、及びユーザ情報を取得する。
【００６１】
ステップ３０３において、取引情報とユーザ情報を識別コードに対応する第三者プロバイダーに送信して、オーダー提出操作を完成する。
【００６２】
本実施例において、サーバを経由してオーダーを相応する第三者プロバイダーに送信するため、ユーザは、異なる第三者プロバイダーが提供するサービスソフトウェア、或いはＵＲＬによってオーダーを提出する必要がなく、サーバによってオーダーに対応する第三者プロバイダーを識別し、サーバを経由してオーダーを相応する第三者プロバイダーに送信する。このように、ユーザが移動端末を通じて第三者サービスを受ける時間が短縮され、第三者サービスを受けることが便利になる。また、第三者プロバイダーにとっても、アプリケーションを開発したりサービスウェブサイト又はカスタマーサービスシステムを作る必要がなく、サーバにアクセスし登録するだけで、すぐユーザにサービスを提供できるため、大量のサービスコストを節約し、サービス効率を向上させる。
【００６３】
本実施例の方法において、さらに、オーダーの処理状況に基づいてオーダー状態情報を生成し、当該オーダー状態情報を端末装置に送信することができる。サーバは、オーダー状態を端末装置にフィードバックすることによって、ユーザがリアルタイムにオーダー処理の状況を把握でき、ユーザが便利に調査できるようにし、ユーザが第三者サービスを受けることがさらに便利になる。
本実施例の方法において、さらに、オーダーに基づいて、第三者プロバイダーの取引データを統計することができる。例えば、マクドナルドが当該サーバを通じて取得したオーダーの数と金額を把握できる。
【００６４】
本実施例の方法において、さらに、オーダーに基づいてユーザの消費情報を統計し、ユーザの消費情報を端末装置にフィードバックすることができる。例えば、あるユーザが当該サーバを通じて何回注文したか、ここで、マクドナルドが何回か、タクシー注文が何回か、及び各サービスの消費がいくらかを把握できる。
【００６５】
本実施例において、サーバは、第三者プロバイダーの取引データ、或いはユーザの消費情報を統計して、それぞれ第三者プロバイダー、或いはユーザに提供する。第三者プロバイダーにとって、自分で統計する必要がなく、正確な取引データが取得でき、大量なサービスコストが節約でき、サービス効率を向上させる。ユーザにとっては、サーバから提供された消費情報によって、自分の消費記録を正確に把握でき、便利に過去の消費記録が調査でき、ユーザ体験を向上させる。
【００６６】
もう一つの実施例において、図４に示すような端末装置４００を提供し、当該端末装置４００は、予め用意されたＮＦＣタグをスキャンすることによって、少なくとも第三者プロバイダーの識別コード、及び取引情報が含まれているタグデータを取得するためのスキャンモジュール４０１と、識別コード、取引情報、及びユーザ情報に基づいてオーダーを生成するためのオーダー生成モジュール４０２と、サーバにオーダーを送信するための送信モジュール４０３とを含む。ここで、オーダーは、サーバが、当該オーダーを解釈して識別コード、取引情報とユーザ情報を取得し、取引情報とユーザ情報を識別コードに対応する第三者プロバイダーに送信することによってオーダー提出操作を完成させるために用いられる。
【００６７】
本実施例において、当該端末装置４００は、第三者プロバイダーの識別コード及び取引情報をＮＦＣタグに書き込むための書き込みモジュール４０４をさらに含む。
【００６８】
本実施例において、当該端末装置４００は、暗号化モジュール４０５と復号化モジュール４０６とをさらに含む。ここで、暗号化モジュール４０５は、ユーザ情報を暗号化するために用いられ、書込みモジュール４０４によって、暗号化後のユーザ情報をＮＦＣタグに書込み、復号化モジュール４０６は、暗号化したユーザ情報に対して復号化を行って、ユーザ情報を取得するために用いられる。
【００６９】
本実施例において、当該端末装置４００は、ユーザ情報を記憶するための記憶モジュール４０７と、記憶モジュールからユーザ情報を取得するための取得モジュール４０８とをさらに含む。或いは、当該端末装置４００は、ユーザ入力に基づいてユーザ情報を取得するための入力取得モジュール４０９をさらに含む。
【００７０】
本実施例において、当該端末装置４００は、ユーザ情報を取得するためのセンサー４１０をさらに含む。
【００７１】
本実施例において、当該端末装置４００は、サーバ、或いは第三者プロバイダーがオーダーの処理状況に基づいて生成したオーダー状態情報をリアルタイムに受信するための受信モジュール４１１をさらに含む。
【００７２】
もう一つの実施例においては、図５に示すようなサーバ５００を提供し、当該サーバ５００は、端末装置から送信されたオーダーを受信するための受信モジュール５０１と、オーダーを解析して、オーダーにおける識別コード、取引情報とユーザ情報を取得するための解析モジュール５０２と、取引情報とユーザ情報を識別コードに対応する第三者プロバイダーに送信してオーダー提出操作を完成する送信モジュール５０３とを含む。ここで、上記オーダーは、端末装置が予め用意されたＮＦＣタグをスキャンして取得したタグデータにより生成される。
【００７３】
本実施例において、当該サーバ５００は、オーダーの処理状況に基づいてオーダー状態情報を生成するためのオーダー状態生成モジュール５０４と、オーダー状態情報を端末装置に送信するための送信モジュール５０３とをさらに含む。
【００７４】
本実施例において、当該サーバ５００は、オーダーに基づいて第三者プロバイダーの取引データを統計するための第１の統計モジュール５０５をさらに含む。
【００７５】
本実施例において、当該サーバ５００は、オーダーに基づいてユーザの消費情報を統計する第２の統計モジュール５０６をさらに含み、送信モジュール５０３によってユーザの消費情報を端末装置にフィードバックする。
【００７６】
図６は、本発明の実施例における端末装置の構成を模式的に示す図である。図６を参照すると、当該端末は、上記実施例に係る方法を実行することができる。例えば、
【００７７】
端末装置６００は、通信ユニット１１０、コンピューターが読み取り可能な記録媒体を一つ以上含むメモリ１２０、入力ユニット１３０、表示ユニット１４０、センサー１５０、オーディオ回路１６０、ＷｉＦｉ（ｗｉｒｅｌｅｓｓ ｆｉｄｅｌｉｔｙ）モジュール１７０、一つ以上の処理コアを有するプロセッサ１８０、及び電源１９０などの部品を含む。当業者は、図６に示す端末装置の構成は端末装置に対する限定ではなく、当該端末装置が、図示した部品より多い数、または少ない数の部品を備えてもよく、或いは、幾つかの部品の組み合わせ、または異なる部品配置を有してもよい、ことを理解すべきである。
【００７８】
ここで、通信ユニット１１０は、情報の送受信または通話中において、信号を受信及び送信するためのものである。当該通信ユニット１１０は、ＲＦ（Ｒａｄｉｏ Ｆｒｅｑｕｅｎｃｙ）回路、ルーター、モデム等のネットワーク通信装置であってもよい。特に、通信ユニット１１０がＲＦ回路である場合、基地局からの下り情報を受信した後、１つ、或いは１つ以上のプロセッサ１８０に渡して処理させる。また、上りデータを基地局に送信する。一般的に、通信ユニットとしてのＲＦ回路は、アンテナ、少なくとも１つのアンプ、チューナー、１つ又は複数の発振器、加入者識別モジュール（ＳＩＭ）カード、受発信機、カプラー、ＬＮＡ（Ｌｏｗ Ｎｏｉｓｅ Ａｍｐｌｉｆｉｅｒ、ローノイズアンプ）、デュプレクサ等を含むが、これらに限らない。なお、通信ユニット１１０は、無線通信でネットワーク、及び他の装置と通信することができる。上記無線通信として、ＧＳＭ（Ｇｌｏｂａｌ Ｓｙｓｔｅｍ ｏｆ Ｍｏｂｉｌｅ ｃｏｍｍｕｎｉｃａｔｉｏｎ）、ＧＰＲＳ（Ｇｅｎｅｒａｌ Ｐａｃｋｅｔ Ｒａｄｉｏ Ｓｅｒｖｉｃｅ）、ＣＤＭＡ（Ｃｏｄｅ Ｄｉｖｉｓｉｏｎ Ｍｕｌｔｉｐｌｅ Ａｃｃｅｓｓ）、ＷＣＤＭＡ（Ｗｉｄｅｂａｎｄ Ｃｏｄｅ Ｄｉｖｉｓｉｏｎ Ｍｕｌｔｉｐｌｅ Ａｃｃｅｓｓ）、ＬＴＥ（Ｌｏｎｇ Ｔｅｒｍ Ｅｖｏｌｕｔｉｏｎ）、電子メール、ＳＭＳ（Ｓｈｏｒｔ Ｍｅｓｓａｇｉｎｇ Ｓｅｒｖｉｃｅ）等を含む任意の通信規格またはプロトコルを利用してもよいが、これらに限らない。メモリ１２０は、ソフトウェアプログラム及びモジュールを格納するためのものであり、プロセッサ１８０は、メモリ１２０に格納されたソフトウェアプログラム及びモジュールを実行することで、各種機能のアプリ及びデータ処理を実施する。メモリ１２０には、主に、プログラム格納領域とデータ格納領域を有する。プログラム格納領域には、ＯＳ、少なくとも１つの機能を実行するアプリ（例えば、音声再生機能、画像再生機能等）等が格納される。データ格納領域には、端末装置６００の使用により作成されたデータ（例えば、オーディオデータ、電話帳等）等が格納される。また、メモリ１２０は、高速ＲＡＭ（Ｒａｎｄｏｍ Ａｃｃｅｓｓ Ｍｅｍｏｒｙ）を含んでもよく、さらに、例えば少なくとも１つの磁気ディスクメモリ、フラッシュメモリなどの不揮発性メモリ、或いは他の揮発性のＳＳＤ（ｓｏｌｉｄ ｓｔａｔｅ ｄｒｉｖｅ）メモリを含んでもよい。また、メモリ１２０は、プロセッサ１８０及び入力ユニット１３０がメモリ１２０にアクセスできるように、メモリ制御器をさらに含んでもよい。
【００７９】
入力ユニット１３０は、数字或いはキャラクター情報の入力の受け付け、及び、ユーザ設定及び機能制御に関するキーボード、マウス、ジョイスティック、光学ボールやトラックボールにより信号入力を発生させるためのものである。入力ユニット１３０は、タッチセンシティブ表面１３１及び他の入力装置１３２を含んでもよい。タッチセンシティブ表面１３１は、タッチパネルやタッチパッドとも呼ばれ、ユーザがその表面上や付近に対するタッチ操作（例えば、ユーザが指やタッチペンなどの任意の適した物や付属品を使用して、タッチセンシティブ表面１３１上やタッチセンシティブ表面１３１付近に対して行う操作）を収集するとともに、予め設定されたプログラムにしたがって、関連する接続装置を駆動する。タッチセンシティブ表面１３１は、選択的に、タッチ検出手段及びタッチ制御器の２つの部分を含んでもよい。ここで、タッチ検出手段は、ユーザのタッチ位置を検出するとともに、タッチ操作による信号を検出し、そのタッチ情報をタッチ制御器に送信する。タッチ制御器は、タッチ検出手段からタッチ情報を受信し、当該情報を接触点座標に変換してプロセッサ１８０に送信するとともに、プロセッサ１８０からのコマンドを受信して実行する。なお、抵抗式、容量式、赤外線式及び表面弾性波式などの様々な方式によりタッチセンシティブ表面１３１を実現することができる。入力ユニット１３０は、タッチセンシティブ表面１３１に加えて、他の入力装置１３２をさらに含んでもよい。他の入力装置１３２は、物理的なキーボード、ファンクションキー（例えば、ボリュームボタン、スイッチボタン等）、トラックボール、マウス、ジョイスティック等の中の一つ又は複数を含んでもよいが、これらに限らない。
【００８０】
表示ユニット１４０は、ユーザが入力した情報やユーザに提供する情報、及び端末装置６００の各種のグラフィカル・ユーザー・インターフェース（ＧＵＩ）を表示するためのものであり、これらのグラフィカル・ユーザー・インターフェースは、図形、テキスト、アイコン、ビデオ及びそれらの任意の組合せで構成されることができる。表示ユニット１４０は、表示パネル１４１を含む。選択的に、表示パネル１４１は、ＬＣＤ（Ｌｉｑｕｉｄ Ｃｒｙｓｔａｌ Ｄｉｓｐｌａｙ）、ＯＬＥＤ（Ｏｒｇａｎｉｃ Ｌｉｇｈｔ−Ｅｍｉｔｔｉｎｇ Ｄｉｏｄｅ）等の形態で構成されてもよい。さらに、タッチセンシティブ表面１３１は、表示パネル１４１を覆うように設けられ、タッチセンシティブ表面１３１がその表面または付近に対するタッチ操作を検出すると、その検出結果をプロセッサ１８０に転送してタッチイベントのタイプを確認させ、その後、プロセッサ１８０は、タッチイベントのタイプに基づいて、表示パネル１４１上に対応する視覚的出力を提供するように構成されてもよい。図６において、タッチセンシティブ表面１３１と表示パネル１４１とが２つの独立した部品として出力及び入力の機能を実現するように構成されているが、タッチセンシティブ表面１３１と表示パネル１４１とを集積構成して入力及び出力機能を実現する実施例もあり得る。
【００８１】
端末装置６００は、さらに、例えば光センサー、運動センサー及び他のセンサーなどの、少なくとも１つのセンサー１５０を含んでもよい。光センサーは、環境光センサーと近接センサーを含んでもよいが、環境光センサーは、環境光の明るさに基づいて、表示パネル１４１の輝度を調整することができ、近接センサーは、端末装置６００が耳元まで移動すると、表示パネル１４１及び／又はバックライトをオフする。運動センサーの一種としての重力加速度センサーは、各方向（一般的には、３軸）における加速度の大きさを検出することができ、静止の状態では、重力の大きさ及びその方向を検出することができるので、携帯電話の姿勢を認識するアプリ（例えば、画面の横縦向きの切り替え、ゲーム、磁力計の姿勢校正）、振動認識に関する機能（例えば、歩数計、パーカッション）等に使用される。端末装置６００には、さらに、ジャイロスコープ、気圧計、湿度計、温度計、赤外線センサー等のほかのセンサーが備えられるが、ここで、その具体的な説明は省略する。
【００８２】
オーディオ回路１６０、スピーカ１６１、マイク１６２は、ユーザと端末装置６００との間のオーディオインタフェースを提供する。オーディオ回路１６０は、受信したオーディオデータから変換された電気信号をスピーカ１６１に転送し、スピーカ１６１により音声信号に変換して出力する。一方、マイク１６２は、収集した音声信号を電気信号に変換し、オーディオ回路１６０が当該電気信号を受信した後オーディオデータに変換し、オーディオデータをプロセッサ１８０に転送して処理してから、ＲＦ回路１１０を介して例えば他の端末に転送するか、或いはオーディオデータをメモリ１２０に送信して更に処理を行うようにする。オーディオ回路１６０は、端末装置６００が外部のイヤホンと通信できるように、イヤホン挿入孔を含んでもよい。
【００８３】
当該端末装置は、無線通信を実現するために、無線通信ユニット１７０を備えてもよい。当該無線通信ユニット１７０は、ＷｉＦｉモジュールであってもよい。ＷｉＦｉは近距離無線通信技術に属し、ユーザに無線のブロードバンドインターネットアクセスを提供するので、ユーザは、端末装置６００の無線通信ユニット１７０を利用して、電子メールの送受信、ウェブの閲覧、ストリーミングメディアのアクセス等を行なうことができる。図６において、無線通信ユニット１７０を示しているが、当該無線通信ユニット１７０は、端末装置６００にとって不可欠な構成ではなく、本発明の趣旨を変更しない範囲内で必要に応じて省略することができる、ことを理解すべきである。
【００８４】
プロセッサ１８０は、端末装置６００の制御センターであり、各種のインタフェース及び回路を介して携帯電話全体の各部と接続され、メモリ１２０内に格納されたソフトウェアプログラム及び／又はモジュールを実行または作動させるとともに、メモリ１２０内に格納されたデータを呼び出すことによって、端末装置６００の各種機能の実行及びデータの処理を実現することで、携帯電話全体をコントロールする。プロセッサ１８０は、１つ又は複数の処理コアを含んでもよく、アプリプロセッサとモデムプロセッサを集積して構成されてもよい。ここで、アプリプロセッサは、主に、ＯＳ、ユーザインタフェース、及びアプリなどを処理し、モデムプロセッサは、主に、無線通信を処理する。また、上記モデムプロセッサがプロセッサ１８０に集積されなくてもよい、ことを理解すべきである。
【００８５】
端末装置６００は、さらに、各部に電力を供給する電源１９０（例えば、バッテリー）を含み、当該電源１９０は、電源管理システムを介してプロセッサ１８０にロジック的に接続されることにより、電源管理システムを介して充電・放電管理、及び電力管理等の機能を実現することができる。電源１９０は、さらに、１つ或いは１つ以上の直流又は交流電源、再充電システム、電源故障検出回路、電源コンバータ又はインバータ、電源状態インジケータ等の任意のアセンブリを含んでもよい。
【００８６】
端末装置６００は、図示してはないが、カメラ、ブルートゥースモジュール等をさらに含んでもよいが、ここで、その具体的な説明は省略する。
【００８７】
具体的には、本実施例において、端末装置の表示ユニットはタッチパネルディスプレイーであり、端末装置は、メモリ、及び一つ或いは一つ以上のプログラムをさらに含み、ここで、一つ或いは一つ以上のプログラムはメモリに記憶され、一つ或いは一つ以上のプロセッサにより実行されるとともに、予め用意されたＮＦＣタグをスキャンすることによって、少なくとも第三者プロバイダーの識別コード及び取引情報を含むタグデータを取得し、前記識別コード、取引情報、及びユーザ情報に基づいてオーダーを生成し、サーバに前記オーダーを送信する、操作を行うための指令を含む。
【００８８】
ここで、前記オーダーは、前記サーバが、当該オーダーを解析して識別コード、取引情報とユーザ情報を取得し、前記取引情報とユーザ情報を前記識別コードに対応する第三者プロバイダーに送信することによってオーダー提出操作を完成させるために用いられる。
【００８９】
当該プログラムは、前記第三者プロバイダーの識別コード及び取引情報を前記ＮＦＣタグに書込む、操作を行うための指令をさらに含む。
【００９０】
当該プログラムは、前記ユーザ情報を暗号化した後前記ＮＦＣタグに書込み、前記タグデータに前記暗号化後のユーザ情報が含まれている場合、予め用意されたＮＦＣタグをスキャンすることによってタグデータを取得し、前記暗号化されたユーザ情報に対して復号化を行って、前記ユーザ情報を取得する、操作を行うための指令をさらに含む。
【００９１】
当該プログラムは、ローカルで前記ユーザ情報を取得するか、或いはユーザ入力によって前記ユーザ情報を取得する、操作を行うための指令をさらに含む。
当該プログラムはま、センサーによって前記ユーザ情報を取得する操作を行うための指令をさらに含む。
【００９２】
当該プログラムは、前記サーバ、或いは第三者プロバイダーがオーダーの処理状況に基づいて生成したオーダー状態情報をリアルタイムに受信する操作を行うための指令をさらに含む。
【００９３】
図７は、本発明の実施例にかかるサーバの構成を模式的に示す図である。当該サーバ１９００は、配置、或いは性能によって比較的に大きい差異が発生する可能性があり、１つ或いは１つ以上のＣＰＵ（ｃｅｎｔｒａｌ ｐｒｏｃｅｓｓｉｎg ｕｎｉｔｓ，中央プロセッサ）１９２２（例えば、１つ或いは１つ以上のプロセッサ）、メモリ１９３２、ＡＰＰ（アプリケーション）１９４２又はデータ１９４４を記録する１つ或いは１つ以上の記録媒体１９３０（例えば、１つ或いは１つ以上の大容量の記録デバイス）を含んでもよい。ここで、メモリ１９３２と記録媒体１９３０は、一時的に記録するか持久的に記録することができる。記録媒体１９３０に記録されているプログラムは、１つ或いは１つ以上のモジュール（未図示）を含み、各モジュールは、サーバの一連の命令操作を含むことができる。さらに、中央プロセッサ１９２２は、記録媒体１９３０と通信し、サーバ１９００で記録媒体１９３０の一連の命令操作を実行するように設置されてもよい。
【００９４】
サーバ１９００は、さらに、１つ或いは１つ以上の電源１９２６、１つ或いは１つ以上の有線または無線ネットワークインターフェース１９５０、１つ或いは１つ以上の入出力インターフェース１９５８、１つ或いは１つ以上のキーボード１９５６、及び/或いは、１つ或いは１つ以上のＯＳ１９４１(例えば、Ｗｉｎｄｏｗｓ ＳｅｒｖｅｒＴＭ、Ｍａｃ ＯＳ ＸＴＭ、ＵｎｉｘＴＭ、ＬｉｎｕｘＴＭ、ＦｒｅｅＢＳＤＴＭなど)を含んでもよい。
【００９５】
具体的には、本実施例において、サーバは、メモリ、及び一つ或は一つ以上のプログラムをさらに含み、ここで、一つ或いは一つ以上のプログラムは、メモリに記憶され、一つ或いは一つ以上のプロセッサにより実行されるとともに、端末装置から、前記端末装置が予め用意されたＮＦＣタグをスキャンすることによって取得したタグデータに基づいて生成したオーダーを受信し、前記オーダーを解析して、前記オーダーにおける識別コード、取引情報とユーザ情報を取得し、前記取引情報とユーザ情報を前記識別コードに対応する第三者プロバイダーに送信してオーダー提出操作を完成する、操作を行うための指令を含む。
【００９６】
当該プログラムは、前記オーダーの処理状況に基づいてオーダー状態情報を生成し、前記オーダー状態情報を前記端末装置に送信するための指令をさらに含む。
【００９７】
当該プログラムは、前記オーダーに基づいて前記第三者プロバイダーの取引データを統計するための指令をさらに含む。
当該プログラムは、前記オーダーに基づいて前記ユーザの消費情報を統計し、前記ユーザの消費情報を前記端末装置にフィードバックするための指令をさらに含む。
【００９８】
なお、典型的には、本発明に記載の移動端末は、例えば携帯電話、パーソナルディジタルアシスタント（ＰＤＡ）等の各種の手持ち端末装置であってもよいため、本発明の保護範囲をある特定タイプの移動端末に限定すべきではない。
【００９９】
なお、本発明に係る方法は、さらに、ＣＰＵにより実行されるコンピュータプログラムとしても実現され得る。該コンピュータプログラムがＣＰＵにより実行されると、本発明の方法において限定される上述の機能が実現される。
【０１００】
なお、上記の方法の各ステップ及びシステム要素は、コントローラ、及びコントローラに上記のステップ又は要素の機能を実現させるコンピュータプログラムを記録するためのコンピュータ読み取り可能な記録媒体によりも実現され得る。
【０１０１】
なお、当業者であれば、本発明に記載のコンピュータ読取り可能な記録媒体（例えば、メモリ）は、揮発性メモリまたは不揮発性メモリのいずれかであってもよく、あるいは、揮発性メモリ及び不揮発性メモリの両方を備えてもよい、とのことを理解すべきである。例えば、不揮発性メモリには、ＲＯＭ（Ｒｅａｄ Ｏｎｌｙ Ｍｅｍｏｒｙ）、ＰＲＯＭ（Ｐｒｏｇｒａｍｍａｂｌｅ  ＲＯＭ）、ＥＰＲＯＭ（Ｅｌｅｃｔｒｉｃａｌｌｙ  ＰＲＯＭ）、ＥＥＰＲＯＭ（Ｅｌｅｃｔｒｉｃａｌｌｙ  Ｅｒａｓａｂｌｅ  ＰＲＯＭ）、又はフラッシュメモリが含まれてもよく、揮発性メモリには、外部のキャッシュメモリとして機能するＲＡＭ（Ｒａｎｄｏｍ  Ａｃｃｅｓｓ  Ｍｅｍｏｒｙ）が含まれてもよいが、両方ともこれに限定されるものではない。例えば、ＲＡＭは、ＤＲＡＭ（Ｓｙｎｃｈｒｏｎｏｕｓ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲ ＳＤＲＡＭ（ダブル・データ・レートＳＤＲＡＭ）、ＥＳＤＲＡＭ（エンハンストＳＤＲＡＭ）、ＳＬＤＲＡＭ（シンクリンクＤＲＡＭ）及びＤＲＲＡＭ（ダイレクトＲａｍｂｕｓ ＲＡＭ）などの多くの形式により実現可能であるが、これに限定されるものではない。ここで上記の記録媒体を開示するのは、本発明の保護範囲にこれらの記録媒体及び他の適したタイプの記録媒体を含ませるためであって、これらのみに限定されないことを意図する。
【０１０２】
当業者は、更に、本発明に記載の種々の例示的な論理ブロック、モジュール、回路、及びアルゴリズムステップが、電子ハードウェア、コンピュータソフトウェア、又は両者の組み合わせにより実現され得る、ことを理解すべきである。ハードウェアとソフトウェアの間のこのような互換性を明確に説明するために、種々の例示的なコンポーネント、ブロック、モジュール、回路、及びステップの機能について、以上において通常的な説明を行っている。このような機能が、ソフトウェアにより実現されるか、又は、ハードウェアにより実現されるかは、具体的なアプリ、及びシステム全体に課される設計上の制約により選択される。当業者は、具体的なアプリそれぞれにおいて、様々な方式を選択して前記機能を実現してもよく、このような選択は、本発明の範囲を逸脱したものとして解釈されるべきではない。
【０１０３】
以上の開示内容に結び付けられて説明される種々の例示的な論理ブロック、モジュール、及び回路は、上述の機能を行なうように設計された汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラム可能な論理デバイス、ディスクリートゲートまたはトランジスタロジック、ディスクリートハードウェアコンポーネント、或いは、これら部材の任意の組み合わせによって、実現又は実行され得る。汎用プロセッサは、マイクロプロセッサであってもよいが、マイクロプロセッサの代わりに、プロセッサは任意の従来のプロセッサ、コントローラ、マイクロコントローラ、又は状態機械であってもよい。プロセッサは、例えば、ＤＳＰとマイクロプロセッサの組み合わせ、複数のマイクロプロセッサ、ＤＳＰコアと１つ又は複数のマイクロプロセッサの組み合わせ、或いは任意のこのような他の構成といった、コンピューティングデバイスの組み合わせとして実現されてもよい。
【０１０４】
以上の開示内容に結び付けられて説明される方法、又は、アルゴリズムのステップは、ハードウェア、プロセッサによって実行されるソフトウェアモジュール、又はこの両者の組合せに直接的に含まれてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当該分野において公知の他の形態で存在する任意の記憶媒体に格納されてもよい。例示的な記憶媒体は、プロセッサが記憶媒体から情報を読み出すことができ、且つ、プロセッサが記憶媒体に情報を書き込むことができるように、プロセッサに結合される。代案として、前記記憶媒体はプロセッサと一体的に集積されてもよい。プロセッサと記憶媒体はＡＳＩＣに格納されてもよい。ＡＳＩＣはユーザ端末に格納されてもよい。代案として、プロセッサと記憶媒体は別個のコンポーネントとしてユーザ端末に格納されてもよい。
【０１０５】
１つ又は複数の例示的な設計として、前記機能はハードウェア、ソフトウェア、ファームウェア又はこれらの任意の組み合わせによって実現され得る。ソフトウェアにより実現される場合、前記機能を１つ又は複数の指令、又はコードとしてコンピュータ読取り可能な媒体に記憶するか、又は、コンピュータ読取り可能な媒体を用いて伝送する。コンピュータ読取り可能な媒体は、コンピュータ記憶媒体及び通信媒体を含み、該通信媒体には、コンピュータプログラムを１つの位置から他の位置へ伝送するための任意の媒体が含まれる。記憶媒体は、汎用又は専用コンピュータによりアクセス可能な任意の使用可能媒体であり得る。例として、該コンピュータ読取り可能な媒体は、ＲＡＭ、ＲＯＭ、ＥＥＰＲＯＭ、ＣＤ−ＲＯＭ又は他の光ディスク記憶デバイス、ディスク記憶デバイス又は他の磁性記憶デバイスを含んでもよく、或いは、携帯できるもの、又は記憶形態が指令又はデータ構造である必要なプログラムコードを記憶するためのもので、且つ、汎用又は専用コンピュータ或いは汎用又は専用プロセッサによりアクセス可能な任意の他の媒体であり得るが、これに限定されるものではない。なお、任意の接続であっても、コンピュータ読取り可能な媒体として称され得る。例えば、同軸ケーブル、光ファイバケーブル、ツイストペア、デジタル加入者回線（ＤＳＬ）、又は、赤外線、ワイヤレス及びマイクロ波のような無線技術を用いて、ウェブサイト、サーバ又は他のリモートソースからソフトウェアを送信する場合、上記の同軸ケーブル、光ファイバケーブル、ツイストペア、ＤＳＬ、又は、赤外線、ワイヤレス及びマイクロ波のような無線技術の何れもが媒体の定義に含まれる。以上の磁気ディスク及び光ディスクは、コンパクトディスク（ＣＤ）、レーザーディスク、光ディスク、デジタルバーサタイルディスク（ＤＶＤ）、フロッピー・ディスク、ブルーレイディスクを含んでおり、磁気ディスクは、通常磁性を利用してデータの再生を行なうものであり、光ディスクは、レーザ光を用いて光学的にデータの再生を行なうものである。また、以上の構成の組合わせもコンピュータ読取り可能な媒体の範囲に含まれるべきである。
【０１０６】
以上の開示内容により、本発明の実施例を例示的に示しているが、請求項により限定される本発明の範囲を逸脱しない限り、多種の変更及び修正を行うことができる。以上に開示された実施例に基づく方法請求項の機能、ステップ及び／又はジェスチャーは、ある特定の手順で実行する必要はない。なお、本発明に係る要素は、個体として記載又は要求されているが、単数であると明確に限定されていない限りは複数であってもよい。
【０１０７】
上記の具体的な実施形態において、本発明の目的、技術案及び有益な効果について更に詳細に説明しているが、上記の内容は、本発明の具体的な実施形態であって、本発明の保護範囲に対する限定ではなく、本発明の趣旨及び原則範囲内で行われる任意の修正、均等の取替、改良などは、その何れも本発明の保護範囲に含まれるべきである、ということを理解すべきである。
【図１】
2016502190.tif 000003
【図２】
2016502190.tif 000004
【図３】
2016502190.tif 000005
【図４】
2016502190.tif 000006
【図５】
2016502190.tif 000007
【図６】
2016502190.tif 000008
【図７】
2016502190.tif 000009
【手続補正書】
【提出日】平成26年7月30日(2014.7.30)
【手続補正１】
【補正対象書類名】明細書
【補正対象項目名】全文
【補正方法】変更
【補正の内容】
【発明の詳細な説明】
【技術分野】
【０００１】
本願は、出願番号がＣＮ２０１３１０５１２８８２.５であって、出願日が２０１３年１０月２５日である中国特許出願に基づき優先権を主張し、当該中国特許出願のすべての内容を本願に援用する。
【０００２】
本発明は、近距離無線通信技術分野に関し、特にＮＦＣデータ伝送方法、端末装置、サーバ、プログラム、及び記録媒体に関する。
【背景技術】
【０００３】
近接場型通信（Ｎｅａｒ Ｆｉｅｌｄ Ｃｏｍｍｕｎｉｃａｔｉｏｎ、ＮＦＣ）は、近距離無線通信とも呼ばれ、近距離の高周波数無線通信技術であり、電子設備の間で非接触式ポイントツーポイントのデータ伝送によってデータをやり取りできる。この技術は、非接触式ＲＦ識別（ＲＦＩＤ）から進化されてなるものであり、ＲＦＩＤに対して上位互換性があり、主に携帯電話などの携帯設備において、Ｍ２Ｍ(Ｍａｃｈｉｎｅ ｔｏ Ｍａｃｈｉｎｅ)の通信を提供するために用いられる。近接場型通信は、自然の安全性を持っているため、ＮＦＣ技術は携帯電話支払いなどの分野で、その実用性が期待される。
【０００４】
ＮＦＣは、ＮＦＣ識別機能を持つ２つの設備間だけではなく、ＮＦＣ設備と無動力型ＮＦＣチップ（ＮＦＣステッカー、又はＮＦＣタグ）との間でも行える。ＮＦＣを搭載したスマートフォンは、ＮＦＣタグにおけるプログラム（予めソフトウェアによって書き込む）によって自動的にターゲットを実行する。
【発明の概要】
【発明が解決しようとする課題】
【０００５】
しかしながら、これらのプログラムは、携帯電話の設定の修正、ショートメッセージの送信、アプリケーションプログラムの起動などの機能だけ許可されなく、完成する機能も端末内で行うものに限られている。
【０００６】
本発明の実施例は、ＮＦＣデータ伝送方法、端末装置、サーバ、プログラム、及び記録媒体を提供し、ユーザが移動端末を通じて第三者サービスを受ける時間が短縮され、第三者サービスを受けることを便利にするためになされたものである。
【課題を解決するための手段】
【０００７】
本発明の実施例の第１の局面によると、ＮＦＣデータ伝送方法を提供し、当該方法は、予め用意されたＮＦＣタグをスキャンすることによって、少なくとも第三者プロバイダーの識別コードと取引情報とを含むタグデータを取得するステップと、前記識別コード、取引情報、及びユーザ情報に基づいてオーダーを生成するステップと、サーバに前記オーダーを送信するステップとを含み、前記オーダーは、前記サーバが、当該オーダーを解析して識別コード、取引情報、及びユーザ情報を取得し、前記取引情報とユーザ情報を前記識別コードに対応する第三者プロバイダーに送信することによってオーダー提出操作を完成させるために用いられる。
【０００８】
本発明によると、ＮＦＣタグのタグデータに第三者プロバイダーの識別コード及び取引情報が含まれ、端末装置は、当該識別コードに基づいて第三者プロバイダーを確定し、相応するオーダーを生成してサーバに送信する。そのため、ユーザは、異なる第三者プロバイダーが提供するサービスソフトウェア、或いはウェブサイトによってオーダーを提出する必要がなく、サーバによってオーダーに対応する第三者プロバイダーを識別し、オーダーを相応する第三者プロバイダーに送信してもらう。このようにして、ユーザが移動端末によって第三者サービスを受ける時間が短縮され、第三者サービスを受けることが便利になる。また、第三者プロバイダーにとっても、自らアプリケーションを開発したりサービスウェブサイト又はカスタマーサービスシステムを搭載する必要がなく、サーバにアクセスし登録することで、すぐにユーザにサービスを提供することができるため、大量にサービスコストを節約し、サービス効率を向上させる有益な効果がある。
【０００９】
前記方法は、前記第三者プロバイダーの識別コード、及び取引情報を前記ＮＦＣタグに書き込むステップをさらに含む。
【００１０】
本発明によると、第三者プロバイダーの識別コード、及び取引情報を予めＮＦＣタグに記憶することによって、ユーザがオーダーを発注する時、毎回これらの情報を入力する必要がなく、ＮＦＣタグをスキャンするだけで、これらの情報が自動的にオーダーに合成され、ユーザが第三者サービスを受ける時間コストを大きく節約し、第三者サービスを受けることが便利になる有益な効果がある。
【００１１】
前記方法は、前記ユーザ情報を暗号化して前記ＮＦＣタグに書き込むステップをさらに含む。
【００１２】
前記方法は、前記暗号化されたユーザ情報を復号化して前記ユーザ情報を取得するステップをさらに含む。
【００１３】
本発明によると、ユーザ情報を予めＮＦＣタグに記憶することによって、ユーザがオーダーを発注する時、毎回これらの情報を入力する必要がなく、ＮＦＣタグをスキャンするだけで、これらの情報が自動的にオーダーに合成され、ユーザが第三者サービスを受ける時間コストを大きく節約し、第三者サービスが便利になる有益な効果がある。
【００１４】
前記方法は、ローカルから前記ユーザ情報を取得するか、或いはユーザの入力によって前記ユーザ情報を取得するステップをさらに含む。
【００１５】
本発明によると、ローカルにユーザ情報を記憶するか、或いはユーザがユーザ情報を入力することによって、ユーザ個人情報のセキュリティを向上させ、且つユーザが第三者サービスを受ける時間コストを節約し、第三者サービスを受けることが便利になる有益な効果がある。
【００１６】
前記方法は、センサーによって前記ユーザ情報を取得するステップをさらに含む。
本発明によると、センサーによってユーザ情報を取得することによって、ユーザ情報取得の正確性と便利性を向上させ、ユーザ入力を減少し、ユーザが第三者サービスを受ける時間コストを節約し、第三者サービスを受けることが便利になる有益な効果がある。
【００１７】
前記方法は、前記サーバ、又は第三者プロバイダーがオーダーの処理状況に基づいて生成したオーダー状態情報をリアルタイムに受信するステップをさらに含む。
【００１８】
本発明によると、端末装置は、リアルタイムにオーダー状態情報を受信することによって、ユーザがリアルタイムにオーダー処理の状況を把握でき、便利に調査できるようにし、ユーザが第三者サービスを受けることがさらに便利になる有益な効果がある。
【００１９】
本発明の実施例の第２の局面によると、端末装置を提供し、前記端末装置は、予め用意されたＮＦＣタグをスキャンすることによって、少なくとも第三者プロバイダーの識別コードと取引情報を含むタグデータを取得するためのスキャンモジュールと、前記識別コード、取引情報、及びユーザ情報に基づいてオーダーを生成するためのオーダー生成モジュールと、サーバに前記オーダーを送信するための送信モジュールを含み、前記オーダーは、前記サーバが、当該オーダーを解釈して識別コード、取引情報、及びユーザ情報を取得し、前記取引情報とユーザ情報を前記識別コードに対応する第三者プロバイダーに送信することによってオーダー提出操作を完成させるために用いられる。
【００２０】
前記端末装置は、前記第三者プロバイダーの識別コード、及び取引情報を前記ＮＦＣタグに書き込むための書き込みモジュールをさらに含む。
前記端末装置は、前記ユーザ情報を暗号化するための暗号化モジュールをさらに含み、前記書き込みモジュールは、暗号化されたユーザ情報を前記ＮＦＣタグに書き込む。
前記端末装置は、前記暗号化されたユーザ情報を復号化して前記ユーザ情報を取得するための復号化モジュールをさらに含む。
【００２１】
前記端末装置は、前記ユーザ情報を記憶するための記憶モジュールと、前記記憶モジュールから前記ユーザ情報を取得するための取得モジュールとをさらに含むか、或いは、ユーザ入力によって前記ユーザ情報を取得するための入力取得モジュールをさらに含む。
【００２２】
前記端末装置は、前記ユーザ情報を取得するためのセンサーをさらに含む。
前記端末装置は、前記サーバ、又は第三者プロバイダーがオーダーの処理状況に基づいて生成したオーダー状態情報をリアルタイムに受信するための受信モジュールをさらに含む。
【００２３】
本発明の実施例の第３の局面によると、端末装置を提供し、当該端末装置は、メモリ、及び一つ或は一つ以上のプログラムを含み、前記一つ或いは一つ以上のプログラムは、メモリに記憶され、一つ或いは一つ以上のプロセッサにより実行されるとともに、予め用意されたＮＦＣタグをスキャンすることによって、少なくとも第三者プロバイダーの識別コードと取引情報を含むタグデータを取得するための指令と、前記識別コード、取引情報、及びユーザ情報に基づいてオーダーを生成するための指令と、サーバに前記オーダーを送信するための指令とを含み、前記オーダーは、前記サーバが、当該オーダーを解析して識別コード、取引情報、及びユーザ情報を取得し、前記取引情報とユーザ情報を前記識別コードに対応する第三者プロバイダーに送信することによってオーダー提出操作を完成させるために用いられる。
【００２４】
本発明の実施例の第４の局面によると、ＮＦＣデータ伝送方法を提供し、当該方法は、端末装置から、前記端末装置が予め用意されたＮＦＣタグをスキャンすることによって取得したタグデータにより生成されたオーダーを受信するステップと、前記オーダーを解析して、前記オーダーにおける識別コード、取引情報、及びユーザ情報を取得するステップと、前記取引情報とユーザ情報を前記識別コードに対応する第三者プロバイダーに送信して、オーダー提出操作を完成するステップと
を含む。
【００２５】
本発明によると、サーバがオーダーを相応する第三者プロバイダーに送信するため、ユーザは、異なる第三者プロバイダーが提供するサービスソフトウェア、或いはＵＲＬ（Ｕｎｉｆｏｒｍ  Ｒｅｓｏｕｒｃｅ  Ｌｏｃａｔｏｒ）によってオーダーを提出する必要がなく、サーバによってオーダーに対応する第三者プロバイダーを識別し、オーダーを相応する第三者プロバイダーに送信する。このようにして、ユーザが移動端末を通じて第三者サービスを受ける時間が短縮され、第三者サービスを受けることが便利になる。また、第三者プロバイダーにとっても、自分でアプリケーションを開発したり、サービスウェブサイト又はカスタマーサービスシステムを搭載する必要がなく、サーバにアクセスし登録するだけで、すぐユーザにサービスを提供でき、大量のサービスコストを節約し、サービス効率を向上させる有益な効果がある。
前記方法は、前記オーダーの処理状況に基づいてオーダー状態情報を生成し、前記オーダー状態情報を前記端末装置に送信するステップをさらに含む。
【００２６】
本発明によると、サーバがオーダー状態を端末装置にフィードバックすることによって、ユーザがリアルタイムにオーダー処理の状況を把握でき、ユーザが便利に調査できるようにし、ユーザが第三者サービスを受けることがさらに便利になる有益な効果がある。
【００２７】
前記方法は、前記オーダーに基づいて第三者プロバイダーの取引データを統計するステップをさらに含む。
【００２８】
前記方法は、前記オーダーに基づいてユーザの消費情報を統計し、前記ユーザの消費情報を端末装置にフィードバックするステップをさらに含む。
【００２９】
本発明によると、サーバは、第三者プロバイダーの取引データ、或いはユーザの消費情報を統計して、それぞれ第三者プロバイダー、或いはユーザに提供する。そのため、第三者プロバイダーにとって、自分で統計する必要がなく、正確な取引データが取得でき、大量なサービスコストを節約でき、サービス効率を向上させる。ユーザにとっては、サーバが消費情報を提供するため、ユーザが正確に自分の消費記録を把握することができ、便利に過去の消費記録を調査することができ、ユーザ体験を向上させる。
【００３０】
本発明の第５の局面によると、サーバを提供し、当該サーバは、端末装置から、前記端末装置が予め用意されたＮＦＣタグをスキャンすることによって取得したタグデータにより生成されたオーダーを受信するための受信モジュールと、前記オーダーを解析して、前記オーダーにおける識別コード、取引情報、及びユーザ情報を取得するための解析モジュールと、前記取引情報とユーザ情報を前記識別コードに対応する第三者プロバイダーに送信してオーダー提出操作を完成するための送信モジュールとを含む。
【００３１】
前記サーバは、オーダーの処理状況に基づいてオーダー状態情報を生成するためのオーダー状態生成モジュールをさらに含み、前記送信モジュールは、前記オーダー状態情報を前記端末装置に送信する。
【００３２】
前記サーバは、前記オーダーに基づいて前記第三者プロバイダーの取引データを統計するための第１の統計モジュールをさらに含む。
【００３３】
前記サーバは、前記オーダーに基づいて前記ユーザの消費情報を統計するための第２の統計モジュールをさらに含み、前記送信モジュールは、前記ユーザの消費情報を前記端末装置にフィードバックする。
【００３４】
本発明の実施例の第６の局面によると、サーバを提供し、当該サーバは、メモリ、及び一つ或は一つ以上のプログラムを含み、前記一つ或いは一つ以上のプログラムは、メモリに記憶され、一つ或いは一つ以上のプロセッサにより実行されるとともに、端末装置から、前記端末装置が予め用意されたＮＦＣタグをスキャンすることによって取得したタグデータにより生成されたオーダーを受信するための指令と、前記オーダーを解析して、前記オーダーにおける識別コード、取引情報、及びユーザ情報を取得するための指令と、前記取引情報とユーザ情報を前記識別コードに対応する第三者プロバイダーに送信してオーダー提出操作を完成させるための指令とを含む。
本発明の実施例の第７の局面によると、プロセッサに実行されることにより、上記ＮＦＣデータ伝送方法を実現するプログラムを提供する。
本発明の実施例の第８の局面によると、上記プログラムが記録された記録媒体を提供する。
【００３５】
理解すべきことは、以上の統括な記述と以下の詳細記述は、ただ例示的なものであり、本発明を限定するものではない。以下に、図面と実施例を通じて、本発明の技術案に対してさらに詳しく説明する。
【図面の簡単な説明】
【００３６】
以下の図面は、明細書の一部分として明細書全体を構成することにより、本発明に合致する実施例を例示するとともに、本発明の原理を解釈するためのものである。
以下の図面は、本願の一部分として、本発明に対する更なる理解を図るためのものであって、本発明に対する限定として捉えてはいけない。
これらの図面のうち: 
【図１】図１は、一つの例示的実施例にかかる端末装置に応用されるＮＦＣデータ伝送方法の例示的なフローチャートである。
【図２】図２は、一つの例示的実施例にかかる端末装置画面におけるオーダーを模式的に示す図である。
【図３】図３は、一つの例示的実施例にかかるサーバに応用されるＮＦＣデータ伝送方法の例示的なフローチャートである。
【図４】図４は、一つの例示的実施例にかかる端末装置の例示的な構成図である。
【図５】図５は、一つの例示的実施例にかかるサーバの例示的な構成図である。
【図６】図６は、一つの例示的実施例にかかる端末装置のもう一つの例示的な構成図である。
【図７】図７は、一つの例示的実施例にかかるサーバのもう一つの例示的な構成図である。  以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００３７】
以下、本発明の目的、技術案及び利点をさらに明確にするために、図面を参照しながら本発明の実施例をさらに詳しく説明する。ここで、本発明の例示的な実施例、及びその説明は、本発明を解釈するためのものであって、本発明を限定するためのものではない、ことを理解すべきである。
【００３８】
本発明において、ＮＦＣタグのデータフォーマットを改めて定義することによって、端末装置がデータフォーマットに基いてサービス要求を識別し、サーバを経由してサービスオーダーを第三者プロバイダーに転送し、サーバでユーザのオーダーが処理でき、ユーザにサービスを提供できるようになる。
【００３９】
本発明の実施例は、ＮＦＣデータ伝送方法、端末装置、およびサーバを提供し、以下、図面と合わせて本発明に対して詳細に説明する。
【００４０】
一つの実施例において、図１に示すような、端末装置に応用されるＮＦＣデータ伝送方法を提供する。
【００４１】
ステップ１０１において、予め用意されたＮＦＣタグをスキャンすることによってタグデータを取得する。そのうち、タグデータには、少なくとも第三者プロバイダーの識別コード、及び取引情報が含まれている。
【００４２】
ステップ１０２において、識別コード、取引情報、及びユーザ情報に基づいてオーダーを生成する。
【００４３】
ステップ１０３において、サーバにオーダーを送信する。ここで、オーダーは、サーバが、当該オーダーを解析して識別コード、取引情報とユーザ情報を取得し、取引情報とユーザ情報を識別コードに対応する第三者プロバイダーに送信することによってオーダー提出操作を完成させるために用いられる。
【００４４】
本実施例において、取引情報は、ユーザが注文したサービス内容であって、例えば、マクドナルド（登録商標）の出前を注文するＮＦＣタグであれば、取引情報は、注文する定食のタイプであり、電話料金を支払うＮＦＣタグであれば、取引情報は、電話料金の限度額である。
【００４５】
本実施例において、ＮＦＣタグのタグデータには第三者プロバイダーの識別コード及び取引情報が含まれ、端末装置は、当該識別コードに基づいて第三者プロバイダーを確定し、相応するオーダーを生成してサーバに送信する。そのため、ユーザは、異なる第三者プロバイダーが提供するサービスソフトウェア、或いはウェブサイトを使用してオーダーを提出する必要がなく、サーバがオーダーに対応する第三者プロバイダーを識別し、オーダーを相応する第三者プロバイダーに送信する。このように、ユーザが移動端末を経由して第三者サービスを受ける時間が短縮されるので、第三者サービスを受けることが便利になる。また、第三者プロバイダーにとっても、アプリケーションを開発したりサービスウェブサイト又はカスタマーサービスシステムを作る必要がなく、サーバにアクセスし登録した後、すぐにユーザにサービスを提供できるため、サービスコストを大量に節約し、サービス効率を向上させる。
【００４６】
本実施例において、ステップ１０１前に、予め第三者プロバイダーの識別コード、及び取引情報をＮＦＣタグに書き込んでもいい。
【００４７】
本実施例において、第三者プロバイダーの識別コード及び取引情報を予めＮＦＣタグに記憶すると、ユーザがオーダーを発注する時、毎回これらの情報を入力する必要がなく、ＮＦＣタグをスキャンするだけで、これらの情報が自動的にオーダーに合成され、ユーザが第三者サービスを受ける時間コストを大幅に節約し、第三者サービスを受けることが便利になる。
【００４８】
本実施例において、ステップ１０２におけるユーザ情報は、以下の三つの方法によって取得できる。
（１）予めＮＦＣタグに記憶し、端末装置を用いてＮＦＣタグをスキャンすることによって取得する。
ＮＦＣタグに記憶されるユーザ情報は暗号化する必要があり、端末装置によって暗号化後のユーザ情報をＮＦＣタグに書き込む。
【００４９】
端末装置は、タグデータに暗号化後のユーザ情報が含まれている場合、予め用意されたＮＦＣタグをスキャンすることによってタグデータを取得した後、暗号化されたユーザ情報について復号化を行って、ユーザ情報を得る。
【００５０】
ＮＦＣタグに記憶されるユーザ情報を暗号化することによって、所定の端末装置だけがＮＦＣタグにおけるユーザ情報を読み取りできるようにし、ユーザ個人情報のセキュリティを向上させる。
【００５１】
且つ、ユーザ情報を予めＮＦＣタグに記憶することによって、ユーザがオーダーを発注する時、毎回これらの情報を入力する必要がなく、ＮＦＣタグをスキャンするだけで、これらの情報が自動的にオーダーに合成され、ユーザが第三者サービスを受ける時間コストを大きく節約し、第三者サービスを受けることが便利になる。
【００５２】
（２）ローカルでユーザ情報を取得するか、或いはユーザによりユーザ情報を入力する場合、ユーザ情報に対して暗号化する必要がない。
ローカルにユーザ情報を記憶するか、或いはユーザによりユーザ情報を入力することによって、ユーザ個人情報のセキュリティを向上させ、且つユーザが第三者サービスを受ける時間コストを節約し、第三者サービスを受けることが便利になる。
【００５３】
（３）センサーによってユーザ情報を取得する。
例えば、ユーザがタクシーをひろうとすると、直接ＧＰＳで位置を決め、その位置決め結果をユーザ情報とする。センサーを用いてユーザ情報を取得することによって、ユーザ情報取得の正確性と便利性を向上させ、ユーザ入力を減少し、ユーザが第三者サービスを受ける時間コストを節約し、第三者サービスを受けることが便利になる。
【００５４】
以下、例を挙げて本実施例の方法を説明し、ユーザは、端末装置を用いて、予め書き換え型のＮＦＣタグに以下の内容を書き込むことができる。
第三者プロバイダーの識別コード：０００００１（マクドナルド）
取引情報：定食タイプ：ビッグマック（登録商標）セット
ユーザ情報：
ユーザ姓名：XXX，
連絡番号：XXXXXXXXXXX，
配達住所：XXXビルX階XXX室。
【００５５】
ユーザが端末装置で当該ＮＦＣタグをタッチすると、図２に示すように、端末装置の画面に当該オーダーが現れ、ユーザが確認すると、端末装置は当該オーダーをサーバに送信し、サーバを経由して当該オーダーをマクドナルドに送信する。マクドナルドは、当該オーダーを受信すると、ユーザにファストフードを配達する。
【００５６】
上記の具体的な実例のように、ユーザの毎回注文操作は非常に簡単で、端末装置でＮＦＣタグをスキャンし、ユーザインタフェースで確認するだけで済み、予約しようとする定食のタイプ、及び注文に必要なユーザ情報を毎回入力する必要がなく、ユーザが移動端末によって第三者サービスを受ける時間が短縮され、第三者サービスを受けることが便利になる。
【００５７】
本実施例の方法においては、さらに、サーバ或いは第三者プロバイダーがオーダーの処理状況に基づいて生成したオーダー状態情報をリアルタイムに受信することができる。端末装置は、リアルタイムにオーダー状態情報を受信することによって、ユーザがリアルタイムにオーダー処理の状況を把握でき、ユーザが便利に調査できるようにし、ユーザが第三者サービスを受けることがさらに便利になる。
【００５８】
もう一つの実施例において、図３に示すような、サーバに応用されるＮＦＣデータ伝送方法を提供する。
【００５９】
ステップ３０１において、端末装置から送信されたオーダーを受信する。オーダーは、端末装置が予め用意されたＮＦＣタグをスキャンして取得したタグデータにより生成される。
【００６０】
ステップ３０２において、オーダーを解析して、オーダーにおける識別コード、取引情報、及びユーザ情報を取得する。
【００６１】
ステップ３０３において、取引情報とユーザ情報を識別コードに対応する第三者プロバイダーに送信して、オーダー提出操作を完成する。
【００６２】
本実施例において、サーバを経由してオーダーを相応する第三者プロバイダーに送信するため、ユーザは、異なる第三者プロバイダーが提供するサービスソフトウェア、或いはＵＲＬによってオーダーを提出する必要がなく、サーバによってオーダーに対応する第三者プロバイダーを識別し、サーバを経由してオーダーを相応する第三者プロバイダーに送信する。このように、ユーザが移動端末を通じて第三者サービスを受ける時間が短縮され、第三者サービスを受けることが便利になる。また、第三者プロバイダーにとっても、アプリケーションを開発したりサービスウェブサイト又はカスタマーサービスシステムを作る必要がなく、サーバにアクセスし登録するだけで、すぐユーザにサービスを提供できるため、大量のサービスコストを節約し、サービス効率を向上させる。
【００６３】
本実施例の方法において、さらに、オーダーの処理状況に基づいてオーダー状態情報を生成し、当該オーダー状態情報を端末装置に送信することができる。サーバは、オーダー状態を端末装置にフィードバックすることによって、ユーザがリアルタイムにオーダー処理の状況を把握でき、ユーザが便利に調査できるようにし、ユーザが第三者サービスを受けることがさらに便利になる。
本実施例の方法において、さらに、オーダーに基づいて、第三者プロバイダーの取引データを統計することができる。例えば、マクドナルドが当該サーバを通じて取得したオーダーの数と金額を把握できる。
【００６４】
本実施例の方法において、さらに、オーダーに基づいてユーザの消費情報を統計し、ユーザの消費情報を端末装置にフィードバックすることができる。例えば、あるユーザが当該サーバを通じて何回注文したか、ここで、マクドナルドが何回か、タクシー注文が何回か、及び各サービスの消費がいくらかを把握できる。
【００６５】
本実施例において、サーバは、第三者プロバイダーの取引データ、或いはユーザの消費情報を統計して、それぞれ第三者プロバイダー、或いはユーザに提供する。第三者プロバイダーにとって、自分で統計する必要がなく、正確な取引データが取得でき、大量なサービスコストが節約でき、サービス効率を向上させる。ユーザにとっては、サーバから提供された消費情報によって、自分の消費記録を正確に把握でき、便利に過去の消費記録が調査でき、ユーザ体験を向上させる。
【００６６】
もう一つの実施例において、図４に示すような端末装置４００を提供し、当該端末装置４００は、予め用意されたＮＦＣタグをスキャンすることによって、少なくとも第三者プロバイダーの識別コード、及び取引情報が含まれているタグデータを取得するためのスキャンモジュール４０１と、識別コード、取引情報、及びユーザ情報に基づいてオーダーを生成するためのオーダー生成モジュール４０２と、サーバにオーダーを送信するための送信モジュール４０３とを含む。ここで、オーダーは、サーバが、当該オーダーを解釈して識別コード、取引情報とユーザ情報を取得し、取引情報とユーザ情報を識別コードに対応する第三者プロバイダーに送信することによってオーダー提出操作を完成させるために用いられる。
【００６７】
本実施例において、当該端末装置４００は、第三者プロバイダーの識別コード及び取引情報をＮＦＣタグに書き込むための書き込みモジュール４０４をさらに含む。
【００６８】
本実施例において、当該端末装置４００は、暗号化モジュール４０５と復号化モジュール４０６とをさらに含む。ここで、暗号化モジュール４０５は、ユーザ情報を暗号化するために用いられ、書込みモジュール４０４によって、暗号化後のユーザ情報をＮＦＣタグに書込み、復号化モジュール４０６は、暗号化したユーザ情報に対して復号化を行って、ユーザ情報を取得するために用いられる。
【００６９】
本実施例において、当該端末装置４００は、ユーザ情報を記憶するための記憶モジュール４０７と、記憶モジュールからユーザ情報を取得するための取得モジュール４０８とをさらに含む。或いは、当該端末装置４００は、ユーザ入力に基づいてユーザ情報を取得するための入力取得モジュール４０９をさらに含む。
【００７０】
本実施例において、当該端末装置４００は、ユーザ情報を取得するためのセンサー４１０をさらに含む。
【００７１】
本実施例において、当該端末装置４００は、サーバ、或いは第三者プロバイダーがオーダーの処理状況に基づいて生成したオーダー状態情報をリアルタイムに受信するための受信モジュール４１１をさらに含む。
【００７２】
もう一つの実施例においては、図５に示すようなサーバ５００を提供し、当該サーバ５００は、端末装置から送信されたオーダーを受信するための受信モジュール５０１と、オーダーを解析して、オーダーにおける識別コード、取引情報とユーザ情報を取得するための解析モジュール５０２と、取引情報とユーザ情報を識別コードに対応する第三者プロバイダーに送信してオーダー提出操作を完成する送信モジュール５０３とを含む。ここで、上記オーダーは、端末装置が予め用意されたＮＦＣタグをスキャンして取得したタグデータにより生成される。
【００７３】
本実施例において、当該サーバ５００は、オーダーの処理状況に基づいてオーダー状態情報を生成するためのオーダー状態生成モジュール５０４と、オーダー状態情報を端末装置に送信するための送信モジュール５０３とをさらに含む。
【００７４】
本実施例において、当該サーバ５００は、オーダーに基づいて第三者プロバイダーの取引データを統計するための第１の統計モジュール５０５をさらに含む。
【００７５】
本実施例において、当該サーバ５００は、オーダーに基づいてユーザの消費情報を統計する第２の統計モジュール５０６をさらに含み、送信モジュール５０３によってユーザの消費情報を端末装置にフィードバックする。
【００７６】
図６は、本発明の実施例における端末装置の構成を模式的に示す図である。図６を参照すると、当該端末は、上記実施例に係る方法を実行することができる。例えば、
【００７７】
端末装置６００は、通信ユニット１１０、コンピューターが読み取り可能な記録媒体を一つ以上含むメモリ１２０、入力ユニット１３０、表示ユニット１４０、センサー１５０、オーディオ回路１６０、ＷｉＦｉ（ｗｉｒｅｌｅｓｓ ｆｉｄｅｌｉｔｙ）モジュール１７０、一つ以上の処理コアを有するプロセッサ１８０、及び電源１９０などの部品を含む。当業者は、図６に示す端末装置の構成は端末装置に対する限定ではなく、当該端末装置が、図示した部品より多い数、または少ない数の部品を備えてもよく、或いは、幾つかの部品の組み合わせ、または異なる部品配置を有してもよい、ことを理解すべきである。
【００７８】
ここで、通信ユニット１１０は、情報の送受信または通話中において、信号を受信及び送信するためのものである。当該通信ユニット１１０は、ＲＦ（Ｒａｄｉｏ Ｆｒｅｑｕｅｎｃｙ）回路、ルーター、モデム等のネットワーク通信装置であってもよい。特に、通信ユニット１１０がＲＦ回路である場合、基地局からの下り情報を受信した後、１つ、或いは１つ以上のプロセッサ１８０に渡して処理させる。また、上りデータを基地局に送信する。一般的に、通信ユニットとしてのＲＦ回路は、アンテナ、少なくとも１つのアンプ、チューナー、１つ又は複数の発振器、加入者識別モジュール（ＳＩＭ）カード、受発信機、カプラー、ＬＮＡ（Ｌｏｗ Ｎｏｉｓｅ Ａｍｐｌｉｆｉｅｒ、ローノイズアンプ）、デュプレクサ等を含むが、これらに限らない。なお、通信ユニット１１０は、無線通信でネットワーク、及び他の装置と通信することができる。上記無線通信として、ＧＳＭ（Ｇｌｏｂａｌ Ｓｙｓｔｅｍ ｏｆ Ｍｏｂｉｌｅ ｃｏｍｍｕｎｉｃａｔｉｏｎ）（登録商標）、ＧＰＲＳ（Ｇｅｎｅｒａｌ Ｐａｃｋｅｔ Ｒａｄｉｏ Ｓｅｒｖｉｃｅ）、ＣＤＭＡ（Ｃｏｄｅ Ｄｉｖｉｓｉｏｎ Ｍｕｌｔｉｐｌｅ Ａｃｃｅｓｓ）、ＷＣＤＭＡ（Ｗｉｄｅｂａｎｄ Ｃｏｄｅ Ｄｉｖｉｓｉｏｎ Ｍｕｌｔｉｐｌｅ Ａｃｃｅｓｓ）（登録商標）、ＬＴＥ（Ｌｏｎｇ Ｔｅｒｍ Ｅｖｏｌｕｔｉｏｎ）、電子メール、ＳＭＳ（Ｓｈｏｒｔ Ｍｅｓｓａｇｅ Ｓｅｒｖｉｃｅ）等を含む任意の通信規格またはプロトコルを利用してもよいが、これらに限らない。メモリ１２０は、ソフトウェアプログラム及びモジュールを格納するためのものであり、プロセッサ１８０は、メモリ１２０に格納されたソフトウェアプログラム及びモジュールを実行することで、各種機能のアプリ及びデータ処理を実施する。メモリ１２０には、主に、プログラム格納領域とデータ格納領域を有する。プログラム格納領域には、ＯＳ、少なくとも１つの機能を実行するアプリ（例えば、音声再生機能、画像再生機能等）等が格納される。データ格納領域には、端末装置６００の使用により作成されたデータ（例えば、オーディオデータ、電話帳等）等が格納される。また、メモリ１２０は、高速ＲＡＭ（Ｒａｎｄｏｍ Ａｃｃｅｓｓ Ｍｅｍｏｒｙ）を含んでもよく、さらに、例えば少なくとも１つの磁気ディスクメモリ、フラッシュメモリなどの不揮発性メモリ、或いは他の揮発性のＳＳＤ（ｓｏｌｉｄ ｓｔａｔｅ ｄｒｉｖｅ）メモリを含んでもよい。また、メモリ１２０は、プロセッサ１８０及び入力ユニット１３０がメモリ１２０にアクセスできるように、メモリ制御器をさらに含んでもよい。
【００７９】
入力ユニット１３０は、数字或いはキャラクター情報の入力の受け付け、及び、ユーザ設定及び機能制御に関するキーボード、マウス、ジョイスティック、光学ボールやトラックボールにより信号入力を発生させるためのものである。入力ユニット１３０は、タッチセンシティブ表面１３１及び他の入力装置１３２を含んでもよい。タッチセンシティブ表面１３１は、タッチパネルやタッチパッドとも呼ばれ、ユーザがその表面上や付近に対するタッチ操作（例えば、ユーザが指やタッチペンなどの任意の適した物や付属品を使用して、タッチセンシティブ表面１３１上やタッチセンシティブ表面１３１付近に対して行う操作）を収集するとともに、予め設定されたプログラムにしたがって、関連する接続装置を駆動する。タッチセンシティブ表面１３１は、選択的に、タッチ検出手段及びタッチ制御器の２つの部分を含んでもよい。ここで、タッチ検出手段は、ユーザのタッチ位置を検出するとともに、タッチ操作による信号を検出し、そのタッチ情報をタッチ制御器に送信する。タッチ制御器は、タッチ検出手段からタッチ情報を受信し、当該情報を接触点座標に変換してプロセッサ１８０に送信するとともに、プロセッサ１８０からのコマンドを受信して実行する。なお、抵抗式、容量式、赤外線式及び表面弾性波式などの様々な方式によりタッチセンシティブ表面１３１を実現することができる。入力ユニット１３０は、タッチセンシティブ表面１３１に加えて、他の入力装置１３２をさらに含んでもよい。他の入力装置１３２は、物理的なキーボード、ファンクションキー（例えば、ボリュームボタン、スイッチボタン等）、トラックボール、マウス、ジョイスティック等の中の一つ又は複数を含んでもよいが、これらに限らない。
【００８０】
表示ユニット１４０は、ユーザが入力した情報やユーザに提供する情報、及び端末装置６００の各種のグラフィカル・ユーザー・インターフェース（ＧＵＩ）を表示するためのものであり、これらのグラフィカル・ユーザー・インターフェースは、図形、テキスト、アイコン、ビデオ及びそれらの任意の組合せで構成されることができる。表示ユニット１４０は、表示パネル１４１を含む。選択的に、表示パネル１４１は、ＬＣＤ（Ｌｉｑｕｉｄ Ｃｒｙｓｔａｌ Ｄｉｓｐｌａｙ）、ＯＬＥＤ（Ｏｒｇａｎｉｃ Ｌｉｇｈｔ−Ｅｍｉｔｔｉｎｇ Ｄｉｏｄｅ）等の形態で構成されてもよい。さらに、タッチセンシティブ表面１３１は、表示パネル１４１を覆うように設けられ、タッチセンシティブ表面１３１がその表面または付近に対するタッチ操作を検出すると、その検出結果をプロセッサ１８０に転送してタッチイベントのタイプを確認させ、その後、プロセッサ１８０は、タッチイベントのタイプに基づいて、表示パネル１４１上に対応する視覚的出力を提供するように構成されてもよい。図６において、タッチセンシティブ表面１３１と表示パネル１４１とが２つの独立した部品として出力及び入力の機能を実現するように構成されているが、タッチセンシティブ表面１３１と表示パネル１４１とを集積構成して入力及び出力機能を実現する実施例もあり得る。
【００８１】
端末装置６００は、さらに、例えば光センサー、運動センサー及び他のセンサーなどの、少なくとも１つのセンサー１５０を含んでもよい。光センサーは、環境光センサーと近接センサーを含んでもよいが、環境光センサーは、環境光の明るさに基づいて、表示パネル１４１の輝度を調整することができ、近接センサーは、端末装置６００が耳元まで移動すると、表示パネル１４１及び／又はバックライトをオフする。運動センサーの一種としての重力加速度センサーは、各方向（一般的には、３軸）における加速度の大きさを検出することができ、静止の状態では、重力の大きさ及びその方向を検出することができるので、携帯電話の姿勢を認識するアプリ（例えば、画面の横縦向きの切り替え、ゲーム、磁力計の姿勢校正）、振動認識に関する機能（例えば、歩数計、パーカッション）等に使用される。端末装置６００には、さらに、ジャイロスコープ、気圧計、湿度計、温度計、赤外線センサー等のほかのセンサーが備えられるが、ここで、その具体的な説明は省略する。
【００８２】
オーディオ回路１６０、スピーカ１６１、マイク１６２は、ユーザと端末装置６００との間のオーディオインタフェースを提供する。オーディオ回路１６０は、受信したオーディオデータから変換された電気信号をスピーカ１６１に転送し、スピーカ１６１により音声信号に変換して出力する。一方、マイク１６２は、収集した音声信号を電気信号に変換し、オーディオ回路１６０が当該電気信号を受信した後オーディオデータに変換し、オーディオデータをプロセッサ１８０に転送して処理してから、ＲＦ回路１１０を介して例えば他の端末に転送するか、或いはオーディオデータをメモリ１２０に送信して更に処理を行うようにする。オーディオ回路１６０は、端末装置６００が外部のイヤホンと通信できるように、イヤホン挿入孔を含んでもよい。
【００８３】
当該端末装置は、無線通信を実現するために、無線通信ユニット１７０を備えてもよい。当該無線通信ユニット１７０は、ＷｉＦｉモジュールであってもよい。ＷｉＦｉは近距離無線通信技術に属し、ユーザに無線のブロードバンドインターネットアクセスを提供するので、ユーザは、端末装置６００の無線通信ユニット１７０を利用して、電子メールの送受信、ウェブの閲覧、ストリーミングメディアのアクセス等を行なうことができる。図６において、無線通信ユニット１７０を示しているが、当該無線通信ユニット１７０は、端末装置６００にとって不可欠な構成ではなく、本発明の趣旨を変更しない範囲内で必要に応じて省略することができる、ことを理解すべきである。
【００８４】
プロセッサ１８０は、端末装置６００の制御センターであり、各種のインタフェース及び回路を介して携帯電話全体の各部と接続され、メモリ１２０内に格納されたソフトウェアプログラム及び／又はモジュールを実行または作動させるとともに、メモリ１２０内に格納されたデータを呼び出すことによって、端末装置６００の各種機能の実行及びデータの処理を実現することで、携帯電話全体をコントロールする。プロセッサ１８０は、１つ又は複数の処理コアを含んでもよく、アプリプロセッサとモデムプロセッサを集積して構成されてもよい。ここで、アプリプロセッサは、主に、ＯＳ、ユーザインタフェース、及びアプリなどを処理し、モデムプロセッサは、主に、無線通信を処理する。また、上記モデムプロセッサがプロセッサ１８０に集積されなくてもよい、ことを理解すべきである。
【００８５】
端末装置６００は、さらに、各部に電力を供給する電源１９０（例えば、バッテリー）を含み、当該電源１９０は、電源管理システムを介してプロセッサ１８０にロジック的に接続されることにより、電源管理システムを介して充電・放電管理、及び電力管理等の機能を実現することができる。電源１９０は、さらに、１つ或いは１つ以上の直流又は交流電源、再充電システム、電源故障検出回路、電源コンバータ又はインバータ、電源状態インジケータ等の任意のアセンブリを含んでもよい。
【００８６】
端末装置６００は、図示してはないが、カメラ、ブルートゥース（登録商標）モジュール等をさらに含んでもよいが、ここで、その具体的な説明は省略する。
【００８７】
具体的には、本実施例において、端末装置の表示ユニットはタッチパネルディスプレイーであり、端末装置は、メモリ、及び一つ或いは一つ以上のプログラムをさらに含み、ここで、一つ或いは一つ以上のプログラムはメモリに記憶され、一つ或いは一つ以上のプロセッサにより実行されるとともに、予め用意されたＮＦＣタグをスキャンすることによって、少なくとも第三者プロバイダーの識別コード及び取引情報を含むタグデータを取得し、前記識別コード、取引情報、及びユーザ情報に基づいてオーダーを生成し、サーバに前記オーダーを送信する、操作を行うための指令を含む。
【００８８】
ここで、前記オーダーは、前記サーバが、当該オーダーを解析して識別コード、取引情報とユーザ情報を取得し、前記取引情報とユーザ情報を前記識別コードに対応する第三者プロバイダーに送信することによってオーダー提出操作を完成させるために用いられる。
【００８９】
当該プログラムは、前記第三者プロバイダーの識別コード及び取引情報を前記ＮＦＣタグに書込む、操作を行うための指令をさらに含む。
【００９０】
当該プログラムは、前記ユーザ情報を暗号化した後前記ＮＦＣタグに書込み、前記タグデータに前記暗号化後のユーザ情報が含まれている場合、予め用意されたＮＦＣタグをスキャンすることによってタグデータを取得し、前記暗号化されたユーザ情報に対して復号化を行って、前記ユーザ情報を取得する、操作を行うための指令をさらに含む。
【００９１】
当該プログラムは、ローカルで前記ユーザ情報を取得するか、或いはユーザ入力によって前記ユーザ情報を取得する、操作を行うための指令をさらに含む。
当該プログラムはま、センサーによって前記ユーザ情報を取得する操作を行うための指令をさらに含む。
【００９２】
当該プログラムは、前記サーバ、或いは第三者プロバイダーがオーダーの処理状況に基づいて生成したオーダー状態情報をリアルタイムに受信する操作を行うための指令をさらに含む。
【００９３】
図７は、本発明の実施例にかかるサーバの構成を模式的に示す図である。当該サーバ１９００は、配置、或いは性能によって比較的に大きい差異が発生する可能性があり、１つ或いは１つ以上のＣＰＵ（ｃｅｎｔｒａｌ ｐｒｏｃｅｓｓｉｎg ｕｎｉｔｓ，中央プロセッサ）１９２２（例えば、１つ或いは１つ以上のプロセッサ）、メモリ１９３２、ＡＰＰ（アプリケーション）１９４２又はデータ１９４４を記録する１つ或いは１つ以上の記録媒体１９３０（例えば、１つ或いは１つ以上の大容量の記録デバイス）を含んでもよい。ここで、メモリ１９３２と記録媒体１９３０は、一時的に記録するか持久的に記録することができる。記録媒体１９３０に記録されているプログラムは、１つ或いは１つ以上のモジュール（未図示）を含み、各モジュールは、サーバの一連の命令操作を含むことができる。さらに、中央プロセッサ１９２２は、記録媒体１９３０と通信し、サーバ１９００で記録媒体１９３０の一連の命令操作を実行するように設置されてもよい。
【００９４】
サーバ１９００は、さらに、１つ或いは１つ以上の電源１９２６、１つ或いは１つ以上の有線または無線ネットワークインターフェース１９５０、１つ或いは１つ以上の入出力インターフェース１９５８、１つ或いは１つ以上のキーボード１９５６、及び/或いは、１つ或いは１つ以上のＯＳ１９４１(例えば、Ｗｉｎｄｏｗｓ ＳｅｒｖｅｒＴＭ（登録商標）、Ｍａｃ ＯＳ ＸＴＭ（登録商標）、ＵｎｉｘＴＭ（登録商標）、ＬｉｎｕｘＴＭ（登録商標）、ＦｒｅｅＢＳＤＴＭ（登録商標）など)を含んでもよい。
【００９５】
具体的には、本実施例において、サーバは、メモリ、及び一つ或は一つ以上のプログラムをさらに含み、ここで、一つ或いは一つ以上のプログラムは、メモリに記憶され、一つ或いは一つ以上のプロセッサにより実行されるとともに、端末装置から、前記端末装置が予め用意されたＮＦＣタグをスキャンすることによって取得したタグデータに基づいて生成したオーダーを受信し、前記オーダーを解析して、前記オーダーにおける識別コード、取引情報とユーザ情報を取得し、前記取引情報とユーザ情報を前記識別コードに対応する第三者プロバイダーに送信してオーダー提出操作を完成する、操作を行うための指令を含む。
【００９６】
当該プログラムは、前記オーダーの処理状況に基づいてオーダー状態情報を生成し、前記オーダー状態情報を前記端末装置に送信するための指令をさらに含む。
【００９７】
当該プログラムは、前記オーダーに基づいて前記第三者プロバイダーの取引データを統計するための指令をさらに含む。
当該プログラムは、前記オーダーに基づいて前記ユーザの消費情報を統計し、前記ユーザの消費情報を前記端末装置にフィードバックするための指令をさらに含む。
【００９８】
なお、典型的には、本発明に記載の移動端末は、例えば携帯電話、パーソナルディジタルアシスタント（ＰＤＡ）等の各種の手持ち端末装置であってもよいため、本発明の保護範囲をある特定タイプの移動端末に限定すべきではない。
【００９９】
なお、本発明に係る方法は、さらに、ＣＰＵにより実行されるコンピュータプログラムとしても実現され得る。該コンピュータプログラムがＣＰＵにより実行されると、本発明の方法において限定される上述の機能が実現される。
【０１００】
なお、上記の方法の各ステップ及びシステム要素は、コントローラ、及びコントローラに上記のステップ又は要素の機能を実現させるコンピュータプログラムを記録するためのコンピュータ読み取り可能な記録媒体によりも実現され得る。
【０１０１】
なお、当業者であれば、本発明に記載のコンピュータ読取り可能な記録媒体（例えば、メモリ）は、揮発性メモリまたは不揮発性メモリのいずれかであってもよく、あるいは、揮発性メモリ及び不揮発性メモリの両方を備えてもよい、とのことを理解すべきである。例えば、不揮発性メモリには、ＲＯＭ（Ｒｅａｄ Ｏｎｌｙ Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰＲＯＭ）、又はフラッシュメモリが含まれてもよく、揮発性メモリには、外部のキャッシュメモリとして機能するＲＡＭ（Ｒａｎｄｏｍ  Ａｃｃｅｓｓ  Ｍｅｍｏｒｙ）が含まれてもよいが、両方ともこれに限定されるものではない。例えば、ＲＡＭは、ＳＲＡＭ（Ｓｔａｔｉｃｓ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲ ＳＤＲＡＭ（ダブル・データ・レートＳＤＲＡＭ）、ＥＳＤＲＡＭ（エンハンストＳＤＲＡＭ）、ＳＬＤＲＡＭ（シンクリンクＤＲＡＭ）及びＤＲＲＡＭ（ダイレクトＲａｍｂｕｓ ＲＡＭ）（登録商標）などの多くの形式により実現可能であるが、これに限定されるものではない。ここで上記の記録媒体を開示するのは、本発明の保護範囲にこれらの記録媒体及び他の適したタイプの記録媒体を含ませるためであって、これらのみに限定されないことを意図する。
【０１０２】
当業者は、更に、本発明に記載の種々の例示的な論理ブロック、モジュール、回路、及びアルゴリズムステップが、電子ハードウェア、コンピュータソフトウェア、又は両者の組み合わせにより実現され得る、ことを理解すべきである。ハードウェアとソフトウェアの間のこのような互換性を明確に説明するために、種々の例示的なコンポーネント、ブロック、モジュール、回路、及びステップの機能について、以上において通常的な説明を行っている。このような機能が、ソフトウェアにより実現されるか、又は、ハードウェアにより実現されるかは、具体的なアプリ、及びシステム全体に課される設計上の制約により選択される。当業者は、具体的なアプリそれぞれにおいて、様々な方式を選択して前記機能を実現してもよく、このような選択は、本発明の範囲を逸脱したものとして解釈されるべきではない。
【０１０３】
以上の開示内容に結び付けられて説明される種々の例示的な論理ブロック、モジュール、及び回路は、上述の機能を行なうように設計された汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラム可能な論理デバイス、ディスクリートゲートまたはトランジスタロジック、ディスクリートハードウェアコンポーネント、或いは、これら部材の任意の組み合わせによって、実現又は実行され得る。汎用プロセッサは、マイクロプロセッサであってもよいが、マイクロプロセッサの代わりに、プロセッサは任意の従来のプロセッサ、コントローラ、マイクロコントローラ、又は状態機械であってもよい。プロセッサは、例えば、ＤＳＰとマイクロプロセッサの組み合わせ、複数のマイクロプロセッサ、ＤＳＰコアと１つ又は複数のマイクロプロセッサの組み合わせ、或いは任意のこのような他の構成といった、コンピューティングデバイスの組み合わせとして実現されてもよい。
【０１０４】
以上の開示内容に結び付けられて説明される方法、又は、アルゴリズムのステップは、ハードウェア、プロセッサによって実行されるソフトウェアモジュール、又はこの両者の組合せに直接的に含まれてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当該分野において公知の他の形態で存在する任意の記憶媒体に格納されてもよい。例示的な記憶媒体は、プロセッサが記憶媒体から情報を読み出すことができ、且つ、プロセッサが記憶媒体に情報を書き込むことができるように、プロセッサに結合される。代案として、前記記憶媒体はプロセッサと一体的に集積されてもよい。プロセッサと記憶媒体はＡＳＩＣに格納されてもよい。ＡＳＩＣはユーザ端末に格納されてもよい。代案として、プロセッサと記憶媒体は別個のコンポーネントとしてユーザ端末に格納されてもよい。
【０１０５】
１つ又は複数の例示的な設計として、前記機能はハードウェア、ソフトウェア、ファームウェア又はこれらの任意の組み合わせによって実現され得る。ソフトウェアにより実現される場合、前記機能を１つ又は複数の指令、又はコードとしてコンピュータ読取り可能な媒体に記憶するか、又は、コンピュータ読取り可能な媒体を用いて伝送する。コンピュータ読取り可能な媒体は、コンピュータ記憶媒体及び通信媒体を含み、該通信媒体には、コンピュータプログラムを１つの位置から他の位置へ伝送するための任意の媒体が含まれる。記憶媒体は、汎用又は専用コンピュータによりアクセス可能な任意の使用可能媒体であり得る。例として、該コンピュータ読取り可能な媒体は、ＲＡＭ、ＲＯＭ、ＥＥＰＲＯＭ、ＣＤ−ＲＯＭ又は他の光ディスク記憶デバイス、ディスク記憶デバイス又は他の磁性記憶デバイスを含んでもよく、或いは、携帯できるもの、又は記憶形態が指令又はデータ構造である必要なプログラムコードを記憶するためのもので、且つ、汎用又は専用コンピュータ或いは汎用又は専用プロセッサによりアクセス可能な任意の他の媒体であり得るが、これに限定されるものではない。なお、任意の接続であっても、コンピュータ読取り可能な媒体として称され得る。例えば、同軸ケーブル、光ファイバケーブル、ツイストペア、デジタル加入者回線（ＤＳＬ）、又は、赤外線、ワイヤレス及びマイクロ波のような無線技術を用いて、ウェブサイト、サーバ又は他のリモートソースからソフトウェアを送信する場合、上記の同軸ケーブル、光ファイバケーブル、ツイストペア、ＤＳＬ、又は、赤外線、ワイヤレス及びマイクロ波のような無線技術の何れもが媒体の定義に含まれる。以上の磁気ディスク及び光ディスクは、コンパクトディスク（ＣＤ）、レーザーディスク（登録商標）、光ディスク、デジタルバーサタイルディスク（ＤＶＤ）、フロッピー（登録商標）・ディスク、ブルーレイ（登録商標）ディスクを含んでおり、磁気ディスクは、通常磁性を利用してデータの再生を行なうものであり、光ディスクは、レーザ光を用いて光学的にデータの再生を行なうものである。また、以上の構成の組合わせもコンピュータ読取り可能な媒体の範囲に含まれるべきである。
【０１０６】
以上の開示内容により、本発明の実施例を例示的に示しているが、請求項により限定される本発明の範囲を逸脱しない限り、多種の変更及び修正を行うことができる。以上に開示された実施例に基づく方法請求項の機能、ステップ及び／又はジェスチャーは、ある特定の手順で実行する必要はない。なお、本発明に係る要素は、個体として記載又は要求されているが、単数であると明確に限定されていない限りは複数であってもよい。
【０１０７】
上記の具体的な実施形態において、本発明の目的、技術案及び有益な効果について更に詳細に説明しているが、上記の内容は、本発明の具体的な実施形態であって、本発明の保護範囲に対する限定ではなく、本発明の趣旨及び原則範囲内で行われる任意の修正、均等の取替、改良などは、その何れも本発明の保護範囲に含まれるべきである、ということを理解すべきである。
【手続補正２】
【補正対象書類名】特許請求の範囲
【補正対象項目名】全文
【補正方法】変更
【補正の内容】
【特許請求の範囲】
【請求項１】
予め用意されたＮＦＣタグをスキャンすることによって、少なくとも第三者プロバイダーの識別コードと取引情報とを含むタグデータを取得するステップと、
前記識別コード、前記取引情報、及びユーザ情報に基づいてオーダーを生成するステップと、
サーバに前記オーダーを送信するステップと
を含み、
前記オーダーは、前記サーバが、当該オーダーを解析して前記識別コード、前記取引情報、及び前記ユーザ情報を取得し、前記取引情報と前記ユーザ情報を前記識別コードに対応する前記第三者プロバイダーに送信することによってオーダー提出操作を完成させるために用いられることを特徴とするＮＦＣデータ伝送方法。
【請求項２】
前記第三者プロバイダーの前記識別コード、及び前記取引情報を前記ＮＦＣタグに書き込むステップをさらに含むことを特徴とする請求項１に記載のＮＦＣデータ伝送方法。
【請求項３】
前記ユーザ情報を暗号化して前記ＮＦＣタグに書き込むステップをさらに含むことを特徴とする請求項２に記載のＮＦＣデータ伝送方法。
【請求項４】
前記暗号化されたユーザ情報を復号化して前記ユーザ情報を取得するステップをさらに含むことを特徴とする請求項３に記載のＮＦＣデータ伝送方法。
【請求項５】
ローカルから前記ユーザ情報を取得するか、或いはユーザの入力によって前記ユーザ情報を取得するステップをさらに含むことを特徴とする請求項１に記載のＮＦＣデータ伝送方法。
【請求項６】
センサーによって前記ユーザ情報を取得するステップをさらに含むことを特徴とする請求項１に記載のＮＦＣデータ伝送方法。
【請求項７】
前記サーバ、又は第三者プロバイダーがオーダーの処理状況に基づいて生成したオーダー状態情報をリアルタイムに受信するステップをさらに含むことを特徴とする請求項１に記載のＮＦＣデータ伝送方法。
【請求項８】
予め用意されたＮＦＣタグをスキャンすることによって、少なくとも第三者プロバイダーの識別コードと取引情報とを含むタグデータを取得するためのスキャンモジュールと、
前記識別コード、前記取引情報、及びユーザ情報に基づいてオーダーを生成するためのオーダー生成モジュールと、
サーバに前記オーダーを送信するための送信モジュールと
を含み、
前記オーダーは、前記サーバが、当該オーダーを解釈して前記識別コード、前記取引情報、及び前記ユーザ情報を取得し、前記取引情報と前記ユーザ情報を前記識別コードに対応する前記第三者プロバイダーに送信することによってオーダー提出操作を完成させるために用いられることを特徴とする端末装置。
【請求項９】
前記第三者プロバイダーの前記識別コード、及び取引情報を前記ＮＦＣタグに書き込むための書き込みモジュールをさらに含むことを特徴とする請求項８に記載の端末装置。
【請求項１０】
前記ユーザ情報を暗号化するための暗号化モジュールをさらに含み、
前記書き込みモジュールは、暗号化されたユーザ情報を前記ＮＦＣタグに書き込むことを特徴とする請求項９に記載の端末装置。
【請求項１１】
前記暗号化されたユーザ情報を復号化して前記ユーザ情報を取得するための復号化モジュールをさらに含むことを特徴とする請求項１０に記載の端末装置。
【請求項１２】
前記ユーザ情報を記憶するための記憶モジュールと、
前記記憶モジュールから前記ユーザ情報を取得するための取得モジュールと
をさらに含むか、
或いは、
ユーザ入力によって前記ユーザ情報を取得するための入力取得モジュールをさらに含むことを特徴とする請求項９に記載の端末装置。
【請求項１３】
前記ユーザ情報を取得するためのセンサーをさらに含むことを特徴とする請求項９に記載の端末装置。
【請求項１４】
前記サーバ、又は前記第三者プロバイダーがオーダーの処理状況に基づいて生成したオーダー状態情報をリアルタイムに受信するための受信モジュールをさらに含むことを特徴とする請求項９に記載の端末装置。
【請求項１５】
メモリ、及び一つ或は一つ以上のプログラムを含み、
前記一つ或いは一つ以上のプログラムは、
前記メモリに記憶され、一つ或いは一つ以上のプロセッサにより実行されるとともに、
予め用意されたＮＦＣタグをスキャンすることによって、少なくとも第三者プロバイダーの識別コードと取引情報とを含むタグデータを取得するための指令と、
前記識別コード、前記取引情報、及びユーザ情報に基づいてオーダーを生成するための指令と、
サーバに前記オーダーを送信するための指令と
を含み、
前記オーダーは、前記サーバが、前記オーダーを解析して前記識別コード、前記取引情報、及び前記ユーザ情報を取得し、前記取引情報と前記ユーザ情報を前記識別コードに対応する前記第三者プロバイダーに送信することによってオーダー提出操作を完成させるために用いられることを特徴とする端末装置。
【請求項１６】
端末装置から、当該端末装置が予め用意されたＮＦＣタグをスキャンすることによって取得したタグデータにより生成されたオーダーを受信するステップと、
前記オーダーを解析して、前記オーダーにおける識別コード、取引情報、及びユーザ情報を取得するステップと、
前記取引情報と前記ユーザ情報を前記識別コードに対応する第三者プロバイダーに送信することによってオーダー提出操作を完成するステップと
を含むことを特徴とするＮＦＣデータ伝送方法。
【請求項１７】
前記オーダーの処理状況に基づいてオーダー状態情報を生成し、前記オーダー状態情報を前記端末装置に送信するステップをさらに含むことを特徴とする請求項１６に記載のＮＦＣデータ伝送方法。
【請求項１８】
前記オーダーに基づいて前記第三者プロバイダーの取引データを統計するステップをさらに含むことを特徴とする請求項１６に記載のＮＦＣデータ伝送方法。
【請求項１９】
前記オーダーに基づいて前記ユーザの消費情報を統計し、前記ユーザの消費情報を前記端末装置にフィードバックするステップをさらに含むことを特徴とする請求項１６に記載のＮＦＣデータ伝送方法。
【請求項２０】
端末装置から、前記端末装置が予め用意されたＮＦＣタグをスキャンすることによって取得したタグデータにより生成されたオーダーを受信するための受信モジュールと、
前記オーダーを解析して、前記オーダーにおける識別コード、取引情報、及びユーザ情報を取得するための解析モジュールと、
前記取引情報と前記ユーザ情報を前記識別コードに対応する第三者プロバイダーに送信することによってオーダー提出操作を完成するための送信モジュールと
を含むことを特徴とするサーバ。
【請求項２１】
前記オーダーの処理状況に基づいてオーダー状態情報を生成するためのオーダー状態生成モジュールをさらに含み、
前記送信モジュールは、前記オーダー状態情報を前記端末装置に送信することを特徴とする請求項２０に記載のサーバ。
【請求項２２】
前記オーダーに基づいて前記第三者プロバイダーの取引データを統計するための第１の統計モジュールをさらに含むことを特徴とする請求項２０に記載のサーバ。
【請求項２３】
前記オーダーに基づいて前記ユーザの消費情報を統計するための第２の統計モジュールをさらに含み、
前記送信モジュールは、前記ユーザの消費情報を前記端末装置にフィードバックすることを特徴とする請求項２０に記載のサーバ。
【請求項２４】
メモリ、及び一つ或は一つ以上のプログラムを含み、
前記一つ或いは一つ以上のプログラムは、
前記メモリに記憶され、一つ或いは一つ以上のプロセッサにより実行されるとともに、
端末装置から、当該端末装置が予め用意されたＮＦＣタグをスキャンすることによって取得したタグデータにより生成されたオーダーを受信するための指令と、
前記オーダーを解析して、前記オーダーにおける識別コード、取引情報、及びユーザ情報を取得するための指令と、
前記取引情報と前記ユーザ情報を前記識別コードに対応する第三者プロバイダーに送信することによってオーダー提出操作を完成させるための指令と
を含むことを特徴とするサーバ。
【請求項２５】
プロセッサに実行されることにより、請求項１から請求項７、請求項１６から請求項１９のいずれかに記載のＮＦＣデータ伝送方法を実現することを特徴とするプログラム。
【請求項２６】
請求項２５に記載のプログラムが記録された記録媒体。
【国際調査報告】
2016502190.tif 000010
2016502190.tif 000011
2016502190.tif 000012
2016502190.tif 000013